(57)【特許請求の範囲】
【請求項１】
除湿空気を作る除湿処理ゾーンと、除湿機能を再生する除湿機能再生ゾーンと、除湿剤を有して前記除湿処理ゾーンおよび前記除湿機能再生ゾーンに配置された除湿機構と、前記除湿処理ゾーンの上流側に位置して該除湿処理ゾーンに連結された処理側上流ダクトと、前記除湿処理ゾーンの下流側に位置して該除湿処理ゾーンに連結された処理側下流ダクトと、前記除湿機能再生ゾーンの上流側に位置して該除湿機能再生ゾーンに連結された再生側上流ダクトと、前記除湿機能再生ゾーンの下流側に位置して該除湿機能再生ゾーンに連結された再生側下流ダクトと、前記除湿機能再生ゾーンに位置する前記除湿機構の上流側に配置され、ヒートポンプを利用して該除湿機構に給気する空気を加熱する第１熱交換機構と、前記除湿機能再生ゾーンに位置する除湿機構の下流側に配置され、所定の冷媒を利用して前記除湿機能再生ゾーンの除湿機構を通流した所定温度の排気空気の排熱を回収しつつ前記第１熱交換機構と熱交換を行う第２熱交換機構とを備え、前記第２熱交換機構によって回収された排熱を前記第１熱交換機構における空気の加熱に利用するとともに、前記第１熱交換機構によって所定温度に加熱された加熱空気を前記除湿機能再生ゾーンに位置する前記除湿機構に給気して前記除湿剤の除湿機能を再生しつつ、前記除湿処理ゾーンに位置する前記除湿機構によって作られた除湿空気を除湿空調空間に給気する排熱利用型除湿システムにおいて、
前記排熱利用型除湿システムが、前記第１熱交換機構の上流側に延びる前記再生側上流ダクトと前記第２熱交換機構の下流側に延びる前記再生側下流ダクトとを連結し、前記除湿機能再生ゾーンの除湿機構を通流した排気空気を前記再生側下流ダクトから前記再生側上流ダクトに環流させる排気空気環流ダクトと、前記排気空気環流ダクトの下流側に延びる前記再生側下流ダクトに設置されて該再生側下流ダクトから排気する排気空気の流量を調節する第１ダンパと、前記排気空気環流ダクトに設置されて該排気空気環流ダクトを通流する排気空気の流量を調節する第２ダンパと、前記第２熱交換機構と前記排気空気環流ダクトとの間に延びる前記再生側下流ダクトに設置されて排気空気の温度を測定する第１温度センサと、前記第１熱交換機構と前記除湿機構との間に延びる前記再生側上流ダクトに設置され、前記第１熱交換機構によって所定温度に加熱された加熱空気を加熱するヒーターとを含み、
前記排熱利用型除湿システムが、前記第１温度センサが測定した排気空気の測定温度が設定温度以下になった場合、前記第１ダンパの開度を所定の開度に保持して前記再生側下流ダクトから排気する排気空気の流量を所定の流量に保持するとともに、前記第２ダンパの開度を大きくして前記排気空気環流ダクトを通流する排気空気の流量を多くする第１循環運転と、前記第１ダンパの開度を全閉にして前記再生側下流ダクトからの排気空気の排気を遮断し、前記第２ダンパの開度を全開にして前記排気空気環流ダクトを通流する排気空気の流量を最大にする第２循環運転とのうちのいずれかを実施し、前記第１温度センサが測定した排気空気の測定温度が設定温度を超過した場合、前記第１ダンパの開度を所定の開度に保持して前記再生側下流ダクトから排気する排気空気の流量を所定の流量に保持するとともに、前記第２ダンパの開度を小さくして前記排気空気環流ダクトを通流する排気空気の流量を少なくする第３循環運転を実施し、
前記排熱利用型除湿システムの起動時では、前記第２ダンパの開度を全閉にして前記排気空気環流ダクトにおける排気空気の通流を遮断し、前記第１ダンパの開度を全開にして前記再生側下流ダクトから排気する排気空気の流量を最大にしつつ該システムを起動する排気環流スタンバイ運転を実施し、前記排気環流スタンバイ運転では、前記ヒートポンプユニットの仕事量の増減と、前記ヒーターの発停と、該ヒーターの熱量の増減とのうちの少なくとも１つを行うことで、加熱空気の測定温度が設定温度になるように加熱空気の温度を調節し、
前記排熱利用型除湿システムでは、前記排気環流スタンバイ運転を実施してから前記第１温度センサが測定した排気空気の測定温度が安定した後に、前記第１温度センサが測定した排気空気の測定温度が設定温度以下になった場合、前記第１および第２循環運転のうちのいずれかを実施し、前記排気環流スタンバイ運転を実施してから前記第１温度センサが測定した排気空気の測定温度が安定した後に、前記第１温度センサが測定した排気空気の測定温度が設定温度を超過した場合、前記第３循環運転を実施することを特徴とする排熱利用型除湿システム。
【請求項２】
前記排熱利用型除湿システムが、前記冷媒を前記第１熱交換機構と前記第２熱交換機構とに環流させる冷媒環流管と、前記冷媒環流管に接続されて前記冷媒を前記第２熱交換機構に通流させずに該冷媒を前記第１熱交換機構に環流させる冷媒バイパス管と、前記第２熱交換機構に通流させる前記冷媒の流量と前記冷媒バイパス管に通流させる該冷媒の流量とを調節する弁機構と、前記第２熱交換機構における冷媒流出口と前記冷媒バイパス管との間に延びる前記冷媒環流管に設置され、前記第２熱交換機構の冷媒流出口から流出した冷媒の温度を測定する第２温度センサとを含み、前記排熱利用型除湿システムでは、前記第１〜第３循環運転のいずれかを実施中に、前記第２温度センサが測定した冷媒の測定温度が設定温度以上になった場合、各ダンパの開度を所定の開度に保持しつつ、前記弁機構を調節して前記冷媒バイパス管に流入する冷媒の流量を少なくするとともに、前記第２熱交換機構に流入する冷媒の流量を多くし、前記第１〜第３循環運転のいずれかを実施中に、前記第２温度センサが測定した冷媒の測定温度が設定温度未満になった場合、各ダンパの開度を所定の開度に保持しつつ、前記弁機構を調節して前記冷媒バイパス管に流入する冷媒の流量を多くするとともに、前記第２熱交換機構に流入する冷媒の流量を少なくする請求項１に記載の排熱利用型除湿システム。
【請求項３】
前記排熱利用型除湿システムでは、前記排気環流スタンバイ運転を実施中に、前記第２温度センサが測定した冷媒の測定温度が設定温度以上になった場合、前記弁機構を調節して前記冷媒バイパス管に流入する冷媒の流量を少なくするとともに、前記第２熱交換機構に流入する冷媒の流量を多くし、前記排気環流スタンバイ運転を実施中に、前記第２温度センサが測定した冷媒の測定温度が設定温度未満になった場合、前記弁機構を調節して前記冷媒バイパス管に流入する冷媒の流量を多くするとともに、前記第２熱交換機構に流入する冷媒の流量を少なくし、前記排気環流スタンバイ運転を実施してから前記第１温度センサが測定した排気空気の測定温度が安定した後に、前記第１温度センサが測定した排気空気の測定温度が設定温度以下になった場合、前記弁機構における冷媒の流量を一定に保持しつつ前記第１循環運転または前記第２循環運転を実施し、前記排気環流スタンバイ運転を実施してから前記第１温度センサが測定した排気空気の測定温度が安定した後に、前記第１温度センサが測定した排気空気の測定温度が設定温度を超過した場合、前記弁機構における冷媒の流量を一定に保持しつつ前記第３循環運転を実施する請求項２に記載の排熱利用型除湿システム。
【請求項４】
除湿空気を作る除湿処理ゾーンと、除湿機能を再生する除湿機能再生ゾーンと、除湿剤を有して前記除湿処理ゾーンおよび前記除湿機能再生ゾーンに配置された除湿機構と、前記除湿処理ゾーンの上流側に位置して該除湿処理ゾーンに連結された処理側上流ダクトと、前記除湿処理ゾーンの下流側に位置して該除湿処理ゾーンに連結された処理側下流ダクトと、前記除湿機能再生ゾーンの上流側に位置して該除湿機能再生ゾーンに連結された再生側上流ダクトと、前記除湿機能再生ゾーンの下流側に位置して該除湿機能再生ゾーンに連結された再生側下流ダクトと、前記除湿機能再生ゾーンに位置する前記除湿機構の上流側に配置され、ヒートポンプを利用して該除湿機構に給気する空気を加熱する第１熱交換機構と、前記除湿機能再生ゾーンに位置する除湿機構の下流側に配置され、所定の冷媒を利用して前記除湿機能再生ゾーンの除湿機構を通流した所定温度の排気空気の排熱を回収しつつ前記第１熱交換機構と熱交換を行う第２熱交換機構とを備え、前記第２熱交換機構によって回収された排熱を前記第１熱交換機構における空気の加熱に利用するとともに、前記第１熱交換機構によって所定温度に加熱された加熱空気を前記除湿機能再生ゾーンに位置する前記除湿機構に給気して前記除湿剤の除湿機能を再生しつつ、前記除湿処理ゾーンに位置する前記除湿機構によって作られた除湿空気を除湿空調空間に給気する排熱利用型除湿システムにおいて、
前記排熱利用型除湿システムが、前記第１熱交換機構の上流側に延びる前記再生側上流ダクトと前記第２熱交換機構の下流側に延びる前記再生側下流ダクトとを連結し、前記除湿機能再生ゾーンの除湿機構を通流した排気空気を前記再生側下流ダクトから前記再生側上流ダクトに環流させる排気空気環流ダクトと、前記除湿処理ゾーンに位置する前記除湿機構と前記第１熱交換機構の上流側に延びる前記再生側上流ダクトとに連結され、前記除湿処理ゾーンの除湿機構のパージ領域を通流した所定温度のパージ空気を該除湿機構から前記再生側上流ダクトに導入させるパージ空気導入ダクトと、前記除湿機能再生ゾーンと前記第２熱交換機構との間に延びる前記再生側下流ダクトに連結された空気排気ダクトと、前記排気空気環流ダクトの下流側に延びる前記再生側下流ダクトに設置されて該再生側下流ダクトから排気する排気空気の流量を調節する第１ダンパと、前記排気空気環流ダクトに設置されて該排気空気環流ダクトを通流する排気空気の流量を調節する第２ダンパと、前記空気排気ダクトに設置されて該空気排気ダクトから排気する空気の流量を調節する第３ダンパと、前記第２熱交換機構と前記排気空気環流ダクトとの間に延びる前記再生側下流ダクトに設置されて排気空気の温度を測定する第１温度センサとを含み、
前記排熱利用型除湿システムが、前記第１温度センサが測定した排気空気の測定温度が設定温度以下になった場合、前記第１ダンパの開度を全閉にするとともに前記第３ダンパの開度を所定の開度に保持して前記空気排気ダクトから排気する空気の流量を所定の流量に保持しつつ、前記第２ダンパの開度を大きくして前記排気空気環流ダクトを通流する排気空気の流量を多くする第１循環運転を実施し、前記第１温度センサが測定した排気空気の測定温度が設定温度を超過した場合、前記第１ダンパの開度を全閉にするとともに前記第３ダンパの開度を所定の開度に保持して前記空気排気ダクトから排気する空気の流量を所定の流量に保持しつつ、前記第２ダンパの開度を小さくして前記排気空気環流ダクトを通流する排気空気の流量を少なくする第２循環運転を実施することを特徴とする排熱利用型除湿システム。
【請求項５】
前記排熱利用型除湿システムが、前記第２ダンパの開度を全閉にして前記排気空気環流ダクトにおける排気空気の通流を遮断し、前記第３ダンパの開度を全閉にするとともに前記第１ダンパの開度を全開にして前記再生側下流ダクトから排気する排気空気の流量を最大にしつつ該システムを起動する排気環流スタンバイ運転を含み、前記排熱利用型除湿システムでは、前記排気環流スタンバイ運転を実施してから前記第１温度センサが測定した排気空気の測定温度が安定した後に、前記第１温度センサが測定した排気空気の測定温度が設定温度以下になった場合、前記第１循環運転を実施し、前記排気環流スタンバイ運転を実施してから前記第１温度センサが測定した排気空気の測定温度が安定した後に、前記第１温度センサが測定した排気空気の測定温度が設定温度を超過した場合、前記第２循環運転を実施する請求項４に記載の排熱利用型除湿システム。
【請求項６】
前記排熱利用型除湿システムが、前記冷媒を前記第１熱交換機構と前記第２熱交換機構とに環流させる冷媒環流管と、前記冷媒環流管に接続されて前記冷媒を前記第２熱交換機構に通流させずに該冷媒を前記第１熱交換機構に環流させる冷媒バイパス管と、前記第２熱交換機構に通流させる前記冷媒の流量と前記冷媒バイパス管に通流させる該冷媒の流量とを調節する弁機構と、前記第２熱交換機構における冷媒流出口と前記冷媒バイパス管との間に延びる前記冷媒環流管に設置され、前記第２熱交換機構の冷媒流出口から流出した冷媒の温度を測定する第２温度センサとを含み、前記排熱利用型除湿システムでは、前記第１循環運転と前記第２循環運転とのいずれかを実施中に、前記第２温度センサが測定した冷媒の測定温度が設定温度以上になった場合、各ダンパの開度を所定の開度に保持しつつ、前記弁機構を調節して前記冷媒バイパス管に流入する冷媒の流量を少なくするとともに、前記第２熱交換機構に流入する冷媒の流量を多くし、前記第１循環運転と前記第２循環運転とのいずれかを実施中に、前記第２温度センサが測定した冷媒の測定温度が設定温度未満になった場合、各ダンパの開度を所定の開度に保持しつつ、前記弁機構を調節して前記冷媒バイパス管に流入する冷媒の流量を多くするとともに、前記第２熱交換機構に流入する冷媒の流量を少なくする請求項４または請求項５に記載の排熱利用型除湿システム。
【請求項７】
前記排熱利用型除湿システムでは、前記排気環流スタンバイ運転を実施中に、前記第２温度センサが測定した冷媒の測定温度が設定温度以上になった場合、前記弁機構を調節して前記冷媒バイパス管に流入する冷媒の流量を少なくするとともに、前記第２熱交換機構に流入する冷媒の流量を多くし、前記排気環流スタンバイ運転を実施中に、前記第２温度センサが測定した冷媒の測定温度が設定温度未満になった場合、前記弁機構を調節して前記冷媒バイパス管に流入する冷媒の流量を多くするとともに、前記第２熱交換機構に流入する冷媒の流量を少なくし、前記排気環流スタンバイ運転を実施してから前記第１温度センサが測定した排気空気の測定温度が安定した後に、前記第１温度センサが測定した排気空気の測定温度が設定温度以下になった場合、前記弁機構における冷媒の流量を一定に保持しつつ前記第１循環運転を実施し、前記排気環流スタンバイ運転を実施してから前記第１温度センサが測定した排気空気の測定温度が安定した後に、前記第１温度センサが測定した排気空気の測定温度が設定温度を超過した場合、前記弁機構における冷媒の流量を一定に保持しつつ前記第２循環運転を実施する請求項６に記載の排熱利用型除湿システム。
【請求項８】
前記排熱利用型除湿システムが、前記第１熱交換機構と前記除湿機構との間に設置され、前記第１熱交換機構によって所定温度に加熱された加熱空気を加熱するヒーターを含む請求項４ないし請求項７いずれかに記載の排熱利用型除湿システム。
【請求項９】
前記第２熱交換機構が、コイルユニットであり、前記コイルユニットが、前記排気空気の排熱を回収しつつ該排気空気を除湿する請求項１ないし請求項８いずれかに記載の排熱利用型除湿システム。
【請求項１０】
前記排熱利用型除湿システムが、前記除湿処理ゾーンの除湿機構と前記除湿機能再生ゾーンの除湿機構とに給気する外気を除湿しつつその外気の温度を調節する外気調和機を含む請求項１ないし請求項９いずれかに記載の排熱利用型除湿システム。
【請求項１１】
前記除湿機構が、デシカントローターであり、前記冷媒が、水またはブラインである請求項１ないし請求項１０いずれかに記載の排熱利用型除湿システム。
【発明の詳細な説明】
【技術分野】
【０００１】
本発明は、加熱空気を除湿機構に供給して除湿剤の除湿機能を再生しつつ、除湿機構を利用して作られた除湿空気を除湿空調空間に給気する排熱利用型除湿システムに関する。
【背景技術】
【０００２】
除湿空気を作る除湿処理ゾーンと、除湿機能を再生する除湿機能再生ゾーンと、除湿剤を有して除湿処理ゾーンおよび除湿機能再生ゾーンに配置された除湿機構と、除湿機構の上流側における除湿機能再生ゾーンに配置され、ヒートポンプを利用して除湿機構に給気する空気を加熱する第１熱交換機構と、除湿機能再生ゾーンに位置する除湿機構の下流側に配置された第２熱交換機構とを備え、第１熱交換機構によって所定温度に加熱された加熱空気を除湿機能再生ゾーンに位置する除湿機構に給気して除湿剤の除湿機能を再生しつつ、除湿処理ゾーンに位置する除湿機構を利用して作られた除湿空気を除湿空調空間に給気する除湿システムが開示されている（特許文献１参照）。
【０００３】
この除湿システムでは、第２熱交換機構が所定の冷媒を利用して除湿機能再生ゾーンの除湿機構を通流した排気空気の排熱を回収し、第２熱交換機構によって回収された排熱を冷媒を利用して第２熱交換機構から第１熱交換機構に供給し、第１熱交換機構においてその排熱を空気の加熱に利用する。第２熱交換機構において、排気空気の排熱が回収されることで排気空気の温度が低下すると同時に、排気空気の除湿が行われ、排気空気の湿度が低下する。温度および湿度が低下した排気空気は、屋外に排気される。
【先行技術文献】
【特許文献】
【０００４】
【特許文献１】特願２０１４−０１９２２１７号
【発明の概要】
【発明が解決しようとする課題】
【０００５】
前記特許文献１に開示の除湿システムでは、ヒーターと併用する第１熱交換機構による加熱でヒーターの省エネが図られる。しかし、第２熱交換機構において排熱が回収された排気空気がそのまま屋外に排気され、温度および湿度が低い排気空気が再利用されることはなく、第１熱交換機構に外気を給気し、外気を第１熱交換機構によって加熱して加熱空気を作り、または、外気の温度や湿度を調節する外気調和機を第１熱交換機構の上流側に設置し、その外気調和機によって所定の温度および湿度に調節された外気を第１熱交換機構に給気し、温度および湿度に調節された外気を第１熱交換機構によって加熱して加熱空気を作るから、外気調和機の負荷を軽減することができず、システムの省エネルギー化を図ることができない。この除湿システムは、第１熱交換機構に外気を常時給気しなければならず、外気を利用せずに閉じたルートを循環する加熱空気や排気空気によって稼働する循環式の除湿システムを実現することができない。
【０００６】
本発明の目的は、第２熱交換機構によって温度および絶対湿度が低下した排気空気を再利用することができ、外気調和機の負荷を低減させて省エネルギー化を図ることができる排熱利用型除湿システムを提供することにある。本発明の他の目的は、閉じたルートを循環する空気によって稼働する循環式の排熱利用型除湿システムを提供することにある。
【課題を解決するための手段】
【０００７】
前記課題を解決するための本発明の前提は、除湿空気を作る除湿処理ゾーンと、除湿機能を再生する除湿機能再生ゾーンと、除湿剤を有して除湿処理ゾーンおよび除湿機能再生ゾーンに配置された除湿機構と、除湿処理ゾーンの上流側に位置して除湿処理ゾーンに連結された処理側上流ダクトと、除湿処理ゾーンの下流側に位置して除湿処理ゾーンに連結された処理側下流ダクトと、除湿機能再生ゾーンの上流側に位置して除湿機能再生ゾーンに連結された再生側上流ダクトと、除湿機能再生ゾーンの下流側に位置して除湿機能再生ゾーンに連結された再生側下流ダクトと、除湿機能再生ゾーンに位置する除湿機構の上流側に配置され、ヒートポンプを利用して除湿機構に給気する空気を加熱する第１熱交換機構と、除湿機能再生ゾーンに位置する除湿機構の下流側に配置され、所定の冷媒を利用して除湿機能再生ゾーンの除湿機構を通流した所定温度の排気空気の排熱を回収しつつ第１熱交換機構と熱交換を行う第２熱交換機構とを備え、第２熱交換機構によって回収された排熱を第１熱交換機構における空気の加熱に利用するとともに、第１熱交換機構によって所定温度に加熱された加熱空気を除湿機能再生ゾーンに位置する除湿機構に給気して除湿剤の除湿機能を再生しつつ、除湿処理ゾーンに位置する除湿機構によって作られた除湿空気を除湿空調空間に給気する排熱利用型除湿システムである。
【０００８】
前記前提における本発明の排熱利用型除湿システムの第１の特徴は、
排熱利用型除湿システムが、第１熱交換機構の上流側に延びる再生側上流ダクトと第２熱交換機構の下流側に延びる再生側下流ダクトとを連結し、除湿機能再生ゾーンの除湿機構を通流した排気空気を再生側下流ダクトから再生側上流ダクトに環流させる排気空気環流ダクトと、排気空気環流ダクトの下流側に延びる再生側下流ダクトに設置されて再生側下流ダクトから排気する排気空気の流量を調節する第１ダンパと、排気空気環流ダクトに設置されて排気空気環流ダクトを通流する排気空気の流量を調節する第２ダンパと、第２熱交換機構と排気空気環流ダクトとの間に延びる再生側下流ダクトに設置されて排気空気の温度を測定する第１温度センサと、第１熱交換機構と除湿機構との間に延びる再生側上流ダクトに設置され、第１熱交換機構によって所定温度に加熱された加熱空気を加熱するヒーターとを含み、排熱利用型除湿システムが、第１温度センサが測定した排気空気の測定温度が設定温度以下になった場合、第１ダンパの開度を所定の開度に保持して再生側下流ダクトから排気する排気空気の流量を所定の流量に保持するとともに、第２ダンパの開度を大きくして排気空気環流ダクトを通流する排気空気の流量を多くする第１循環運転と、第１ダンパの開度を全閉にして再生側下流ダクトからの排気空気の排気を遮断し、第２ダンパの開度を全開にして排気空気環流ダクトを通流する排気空気の流量を最大にする第２循環運転とのうちのいずれかを実施し、第１温度センサが測定した排気空気の測定温度が設定温度を超過した場合、第１ダンパの開度を所定の開度に保持して再生側下流ダクトから排気する排気空気の流量を所定の流量に保持するとともに、第２ダンパの開度を小さくして排気空気環流ダクトを通流する排気空気の流量を少なくする第３循環運転を実施し、排熱利用型除湿システムの起動時では、第２ダンパの開度を全閉にして排気空気環流ダクトにおける排気空気の通流を遮断し、第１ダンパの開度を全開にして再生側下流ダクトから排気する排気空気の流量を最大にしつつシステムを起動する排気環流スタンバイ運転を実施し、排気環流スタンバイ運転では、ヒートポンプユニットの仕事量の増減と、ヒーターの発停と、ヒーターの熱量の増減とのうちの少なくとも１つを行うことで、加熱空気の測定温度が設定温度になるように加熱空気の温度を調節し、排熱利用型除湿システムでは、排気環流スタンバイ運転を実施してから第１温度センサが測定した排気空気の測定温度が安定した後に、第１温度センサが測定した排気空気の測定温度が設定温度以下になった場合、第１および第２循環運転のうちのいずれかを実施し、排気環流スタンバイ運転を実施してから第１温度センサが測定した排気空気の測定温度が安定した後に、第１温度センサが測定した排気空気の測定温度が設定温度を超過した場合、第３循環運転を実施することにある。
【０００９】
前記第１の特徴を有する本発明の排熱利用型除湿システムの一例としては、排熱利用型除湿システムが、冷媒を第１熱交換機構と第２熱交換機構とに環流させる冷媒環流管と、冷媒環流管に接続されて冷媒を第２熱交換機構に通流させずに冷媒を第１熱交換機構に環流させる冷媒バイパス管と、第２熱交換機構に通流させる冷媒の流量と冷媒バイパス管に通流させる冷媒の流量とを調節する弁機構と、第２熱交換機構における冷媒流出口と冷媒バイパス管との間に延びる冷媒環流管に設置され、第２熱交換機構の冷媒流出口から流出した冷媒の温度を測定する第２温度センサとを含み、排熱利用型除湿システムでは、第１〜第３循環運転のいずれかを実施中に、第２温度センサが測定した冷媒の測定温度が設定温度以上になった場合、各ダンパの開度を所定の開度に保持しつつ、弁機構を調節して冷媒バイパス管に流入する冷媒の流量を少なくするとともに、第２熱交換機構に流入する冷媒の流量を多くし、第１〜第３循環運転のいずれかを実施中に、第２温度センサが測定した冷媒の測定温度が設定温度未満になった場合、各ダンパの開度を所定の開度に保持しつつ、弁機構を調節して冷媒バイパス管に流入する冷媒の流量を多くするとともに、第２熱交換機構に流入する冷媒の流量を少なくする。
【００１０】
前記第１の特徴を有する本発明の排熱利用型除湿システムの他の一例として、排熱利用型除湿システムでは、排気環流スタンバイ運転を実施中に、第２温度センサが測定した冷媒の測定温度が設定温度以上になった場合、弁機構を調節して冷媒バイパス管に流入する冷媒の流量を少なくするとともに、第２熱交換機構に流入する冷媒の流量を多くし、排気環流スタンバイ運転を実施中に、第２温度センサが測定した冷媒の測定温度が設定温度未満になった場合、弁機構を調節して冷媒バイパス管に流入する冷媒の流量を多くするとともに、第２熱交換機構に流入する冷媒の流量を少なくし、排気環流スタンバイ運転を実施してから第１温度センサが測定した排気空気の測定温度が安定した後に、第１温度センサが測定した排気空気の測定温度が設定温度以下になった場合、弁機構における冷媒の流量を一定に保持しつつ第１循環運転または第２循環運転を実施し、排気環流スタンバイ運転を実施してから第１温度センサが測定した排気空気の測定温度が安定した後に、第１温度センサが測定した排気空気の測定温度が設定温度を超過した場合、弁機構における冷媒の流量を一定に保持しつつ第３循環運転を実施する。
【００１１】
前記前提における本発明の排熱利用型除湿システムの第２の特徴は、排熱利用型除湿システムが、第１熱交換機構の上流側に延びる再生側上流ダクトと第２熱交換機構の下流側に延びる再生側下流ダクトとを連結し、除湿機能再生ゾーンの除湿機構を通流した排気空気を再生側下流ダクトから再生側上流ダクトに環流させる排気空気環流ダクトと、除湿処理ゾーンに位置する除湿機構と第１熱交換機構の上流側に延びる再生側上流ダクトとに連結され、除湿処理ゾーンの除湿機構のパージ領域を通流した所定温度のパージ空気を除湿機構から再生側上流ダクトに導入させるパージ空気導入ダクトと、除湿機能再生ゾーンと第２熱交換機構との間に延びる再生側下流ダクトに連結された空気排気ダクトと、排気空気環流ダクトの下流側に延びる再生側下流ダクトに設置されて再生側下流ダクトから排気する排気空気の流量を調節する第１ダンパと、排気空気環流ダクトに設置されて排気空気環流ダクトを通流する排気空気の流量を調節する第２ダンパと、空気排気ダクトに設置されて空気排気ダクトから排気する空気の流量を調節する第３ダンパと、第２熱交換機構と排気空気環流ダクトとの間に延びる再生側下流ダクトに設置されて排気空気の温度を測定する第１温度センサとを含み、排熱利用型除湿システムが、第１温度センサが測定した排気空気の測定温度が設定温度以下になった場合、第１ダンパの開度を全閉にするとともに第３ダンパの開度を所定の開度に保持して空気排気ダクトから排気する空気の流量を所定の流量に保持しつつ、第２ダンパの開度を大きくして排気空気環流ダクトを通流する排気空気の流量を多くする第１循環運転を実施し、第１温度センサが測定した排気空気の測定温度が設定温度を超過した場合、第１ダンパの開度を全閉にするとともに第３ダンパの開度を所定の開度に保持して空気排気ダクトから排気する空気の流量を所定の流量に保持しつつ、第２ダンパの開度を小さくして排気空気環流ダクトを通流する排気空気の流量を少なくする第２循環運転を実施することにある。
【００１２】
前記第２の特徴を有する本発明の排熱利用型除湿システムの一例としては、排熱利用型除湿システムが、第２ダンパの開度を全閉にして排気空気環流ダクトにおける排気空気の通流を遮断し、第３ダンパの開度を全閉にするとともに第１ダンパの開度を全開にして再生側下流ダクトから排気する排気空気の流量を最大にしつつシステムを起動する排気環流スタンバイ運転を含み、排熱利用型除湿システムでは、排気環流スタンバイ運転を実施してから第１温度センサが測定した排気空気の測定温度が安定した後に、第１温度センサが測定した排気空気の測定温度が設定温度以下になった場合、第１循環運転を実施し、排気環流スタンバイ運転を実施してから第１温度センサが測定した排気空気の測定温度が安定した後に、第１温度センサが測定した排気空気の測定温度が設定温度を超過した場合、第２循環運転を実施する。
【００１３】
前記第２の特徴を有する本発明の排熱利用型除湿システムの他の一例としては、排熱利用型除湿システムが、冷媒を第１熱交換機構と第２熱交換機構とに環流させる冷媒環流管と、冷媒環流管に接続されて冷媒を第２熱交換機構に通流させずに冷媒を第１熱交換機構に環流させる冷媒バイパス管と、第２熱交換機構に通流させる冷媒の流量と冷媒バイパス管に通流させる冷媒の流量とを調節する弁機構と、第２熱交換機構における冷媒流出口と冷媒バイパス管との間に延びる冷媒環流管に設置され、第２熱交換機構の冷媒流出口から流出した冷媒の温度を測定する第２温度センサとを含み、排熱利用型除湿システムでは、第１循環運転と第２循環運転とのいずれかを実施中に、第２温度センサが測定した冷媒の測定温度が設定温度以上になった場合、各ダンパの開度を所定の開度に保持しつつ、弁機構を調節して冷媒バイパス管に流入する冷媒の流量を少なくするとともに、第２熱交換機構に流入する冷媒の流量を多くし、第１循環運転と第２循環運転とのいずれかを実施中に、第２温度センサが測定した冷媒の測定温度が設定温度未満になった場合、各ダンパの開度を所定の開度に保持しつつ、弁機構を調節して冷媒バイパス管に流入する冷媒の流量を多くするとともに、第２熱交換機構に流入する冷媒の流量を少なくする。
【００１４】
前記第２の特徴を有する本発明の排熱利用型除湿システムの他の一例として、排熱利用型除湿システムでは、排気環流スタンバイ運転を実施中に、第２温度センサが測定した冷媒の測定温度が設定温度以上になった場合、弁機構を調節して冷媒バイパス管に流入する冷媒の流量を少なくするとともに、第２熱交換機構に流入する冷媒の流量を多くし、排気環流スタンバイ運転を実施中に、第２温度センサが測定した冷媒の測定温度が設定温度未満になった場合、弁機構を調節して冷媒バイパス管に流入する冷媒の流量を多くするとともに、第２熱交換機構に流入する冷媒の流量を少なくし、排気環流スタンバイ運転を実施してから第１温度センサが測定した排気空気の測定温度が安定した後に、第１温度センサが測定した排気空気の測定温度が設定温度以下になった場合、弁機構における冷媒の流量を一定に保持しつつ第１循環運転を実施し、排気環流スタンバイ運転を実施してから第１温度センサが測定した排気空気の測定温度が安定した後に、第１温度センサが測定した排気空気の測定温度が設定温度を超過した場合、弁機構における冷媒の流量を一定に保持しつつ第２循環運転を実施する。
【００１５】
前記第２の特徴を有する本発明の排熱利用型除湿システムの他の一例としては、排熱利用型除湿システムが、第１熱交換機構と前記除湿機構との間に設置され、第１熱交換機構によって所定温度に加熱された加熱空気を加熱するヒーターを含む。
【００１６】
前記第１および第２の特徴を有する本発明の排熱利用型除湿システムの一例としては、第２熱交換機構がコイルユニットであり、コイルユニットが排気空気の排熱を回収しつつ排気空気を除湿する。
【００１７】
前記第１および第２の特徴を有する本発明の排熱利用型除湿システムの他の一例としては、排熱利用型除湿システムが、除湿処理ゾーンの除湿機構と除湿機能再生ゾーンの除湿機構とに給気する外気を除湿しつつその外気の温度を調節する外気調和機を含む。
【００１８】
前記第１および第２の特徴を有する本発明の排熱利用型除湿システムの他の一例としては、除湿機構がデシカントローターであり、冷媒が水またはブラインである。
【発明の効果】
【００１９】
第１の特徴を有する本発明の排熱利用型除湿システムによれば、第１熱交換機構の上流側に延びる再生側上流ダクトと第２熱交換機構の下流側に延びる再生側下流ダクトとを排気空気環流ダクトによって連結し、第２熱交換機構によって温度が低下しつつ除湿された低温度かつ低湿度の排気空気を第１熱交換機構の上流側に延びる再生側上流ダクトに流入させるとともに、その排気空気を第１熱交換機構に流入させ、その排気空気を第１熱交換機構によって再び加熱して加熱空気を作り、その加熱空気によって除湿剤の除湿機能を再生させるから、第２熱交換機構によって温度および湿度が低下した排気空気を再利用することができ、システムの省エネルギー化を図ることができる。排熱利用型除湿システムは、低湿度の排気空気を加熱した加熱空気を除湿機構に給気することで除湿剤の除湿機能を十分に再生させることができ、除湿機構によって作られた除湿空気を除湿空調空間に給気することができる。第１温度センサが測定した排気空気の測定温度が設定温度以下になった場合、第１ダンパの開度を所定の開度に保持して再生側下流ダクトから排気する排気空気の流量を所定の流量に保持するとともに、第２ダンパの開度を大きくして排気空気環流ダクトを通流する排気空気の流量を多くする第１循環運転を行う排熱利用型除湿システムは、排気空気の測定温度が設定温度以下になっていることで、その排気空気の温度および湿度の低い状態が維持され、排気空気の温度や湿度が良好であり、良好な温度および湿度の多量の排気空気を第１熱交換機構に環流させて湿度の低い加熱空気を作ることができるから、第１熱交換機構の負荷を軽減することができ、システムの省エネルギー化を図ることができる。第１温度センサが測定した排気空気の測定温度が設定温度以下になった場合、第１ダンパの開度を全閉にして再生側下流ダクトからの排気空気の排気を遮断し、第２ダンパの開度を全開にして排気空気環流ダクトを通流する排気空気の流量を最大にする第２循環運転を行う排熱利用型除湿システムは、排気空気の測定温度が設定温度以下になっていることで、その排気空気の温度および湿度の低い状態が維持され、排気空気の温度や湿度が良好であり、良好な温度および湿度の全ての排気空気を第１熱交換機構に流入させて湿度の低い加熱空気を作ることができるから、第１熱交換機構の負荷を軽減することができ、システムの省エネルギー化を図ることができるのみならず、第１熱交換機構と除湿機構と第２熱交換機構とを循環する排気空気および加熱空気によって稼働する循環式の除湿システムを実現することができる。第１温度センサが測定した排気空気の測定温度が設定温度を超過した場合、第１ダンパの開度を所定の開度に保持して再生側下流ダクトから排気する排気空気の流量を所定の流量に保持するとともに、第２ダンパの開度を小さくして排気空気環流ダクトを通流する排気空気の流量を少なくする第３循環運転を行う排熱利用型除湿システムは、排気空気の測定温度が設定温度を超過していることで、その排気空気の温度および湿度が高く、その場合に所定の温度および湿度に調節された外気を第１熱交換機構に給気することで、排気空気の温度を設定温度以下に戻すことができ、第１熱交換機構のヒートポンプの負荷を軽減してシステムの省エネルギー化を図りつつ、排気空気の温度を設定温度近傍に安定させることができるとともに、第３循環運転から第１および第２循環運転速のいずれかに速やかに移行させることができる。
【００２０】
排熱利用型除湿システムは、排気環流スタンバイ運転システムの起動運転時に排気空気環流ダクトにおける排気空気の通流を遮断しつつ、第１ダンパの開度を全開にして再生側下流ダクトから排気する排気空気の流量を最大にし、所定の温度および所定の湿度に調節された外気を第１熱交換機構に流入させて加熱空気を作ることで、排気空気の温度を設定温度近傍に安定させることができ、排気環流スタンバイ運転後に第１および第２循環運転や第３循環運転に円滑に移行することができる。
【００２１】
排熱利用型除湿システムは、排気環流スタンバイ運転を実施してから第１温度センサが測定した排気空気の測定温度が安定した後に、第１温度センサが測定した排気空気の測定温度が設定温度以下になり、第１循環運転を行う場合は、良好な温度および湿度の多量の排気空気を第１熱交換機構に流入させて湿度の低い加熱空気を作ることができるから、第１熱交換機構の負荷を軽減することができ、システムの省エネルギー化を図ることができる。
【００２２】
排熱利用型除湿システムは、排気環流スタンバイ運転を実施してから第１温度センサが測定した排気空気の測定温度が安定した後に、第１温度センサが測定した排気空気の測定温度が設定温度以下になり、第２循環運転を行う場合は、良好な温度および湿度の多量の排気空気を第１熱交換機構に流入させて湿度の低い加熱空気を作ることができるから、第１熱交換機構の負荷を軽減することができ、システムの省エネルギー化を図ることができるのみならず、第１熱交換機構と除湿機構と第２熱交換機構とを循環する空気によって稼働する循環式の除湿システムを実現することができる。
【００２３】
排熱利用型除湿システムは、排気環流スタンバイ運転を実施してから第１温度センサが測定した排気空気の測定温度が安定した後に、第１温度センサが測定した排気空気の測定温度が設定温度を超過し、第３循環運転を行う場合は、所定の温度および湿度に調節された外気を第１熱交換機構に給気することで、排気空気の温度を設定温度以下に戻すことができ、第１熱交換機構のヒートポンプの負荷を軽減してシステムの省エネルギー化を図りつつ、排気空気の温度を設定温度近傍に安定させることができるとともに、第３循環運転から第１および第２循環運転速のいずれかに速やかに移行させることができる。
【００２４】
排熱利用型除湿システムは、第１熱交換機構によって所定温度に加熱された加熱空気を加熱するヒーターを含み、そのヒーターを利用して所定温度に加熱された加熱空気をさらに加熱するから、外気の温度が低い冬期のようにヒートポンプの蒸発器に供給する熱量が少ない状態であっても除湿機構に給気する空気を十分に加熱することができ、その加熱空気を利用して除湿剤の除湿機能を確実に再生させることができる。
【００２５】
冷媒環流管や冷媒バイパス管、弁機構、第２温度センサを含み、第１〜第３循環運転のいずれかを実施中に、第２温度センサが測定した冷媒の測定温度が設定温度以上になった場合、各ダンパの開度を所定の開度に保持しつつ、弁機構を調節して冷媒バイパス管に流入する冷媒の流量を少なくするとともに、第２熱交換機構に流入する冷媒の流量を多くし、第２温度センサが測定した冷媒の測定温度が設定温度未満になった場合、各ダンパの開度を所定の開度に保持しつつ、弁機構を調節して冷媒バイパス管に流入する冷媒の流量を多くするとともに、第２熱交換機構に流入する冷媒の流量を少なくする排熱利用型除湿システムは、第１〜第３循環運転のいずれかを実施中に冷媒の測定温度が設定温度以上になった場合、第２熱交換機構に流入する冷媒の流量を多くすることで、第２熱交換機構における温度調節機能や除湿機能を最大限に利用することができるとともに、第２熱交換機構によって排気空気の温度および湿度を確実に低下させることができ、第２熱交換機構によって温度および湿度が低下した排気空気を効率的に再利用することができる。排熱利用型除湿システムは、第１〜第３循環運転のいずれかを実施中に冷媒の測定温度が設定温度未満になった場合、第２熱交換機構に流入する冷媒の流量を少なくするから、ヒートポンプを利用した第１熱交換機構の加熱能力が下がり、たとえば、除湿剤の除湿機能の再生温度が低い場合に加熱空気の温度を低くすることができ、第１熱交換機構において消費されるエネルギーを抑えつつ除湿剤の除湿機能を回復させることができる。排熱利用型除湿システムは、弁機構を調節して冷媒の流量を調節する場合、各ダンパの開度を所定の開度に保持するから、弁機構の調節中に各ダンパの開度を変化させる場合と比較し、弁機構の調節制御と各ダンパの調節制御とを協調させることができる。
【００２６】
排気環流スタンバイ運転を実施中に、第２温度センサが測定した冷媒の測定温度が設定温度以上になった場合、弁機構を調節して冷媒バイパス管に流入する冷媒の流量を少なくするとともに、第２熱交換機構に流入する冷媒の流量を多くし、第２温度センサが測定した冷媒の測定温度が設定温度未満になった場合、弁機構を調節して冷媒バイパス管に流入する冷媒の流量を多くするとともに、第２熱交換機構に流入する冷媒の流量を少なくし、排気環流スタンバイ運転を実施してから第１温度センサが測定した排気空気の測定温度が安定した後に、第１温度センサが測定した排気空気の測定温度が設定温度以下になった場合、弁機構における冷媒の流量を一定に保持しつつ第１循環運転または第２循環運転を行い、第１温度センサが測定した排気空気の測定温度が設定温度を超過した場合、弁機構における冷媒の流量を一定に保持しつつ第３循環運転を行う排熱利用型除湿システムは、排気環流スタンバイ運転を実施中に冷媒の測定温度が設定温度以上になった場合、第２熱交換機構に流入する冷媒の流量を多くすることで、第２熱交換機構における温度調節機能や除湿機能を最大限に利用することができるから、第２熱交換機構によって排気空気の温度および湿度を確実に低下させることができるとともに、排気空気の温度を設定温度近傍に速やかに安定させることができ、排気環流スタンバイ運転後に第１および第２循環運転や第３循環運転に円滑に移行することができる。排熱利用型除湿システムは、排気環流スタンバイ運転を実施中に冷媒の測定温度が設定温度未満になった場合、第２熱交換機構に流入する冷媒の流量を少なくすることで、ヒートポンプを利用した第１熱交換機構の加熱能力が下がり、たとえば、除湿剤の除湿機能の再生温度が低い場合に加熱空気の温度を低くすることができ、第１熱交換機構において消費されるエネルギーを抑えつつ除湿剤の除湿機能を回復させることができる。排熱利用型除湿システムは、排気環流スタンバイ運転を実施してから第１温度センサが測定した排気空気の測定温度が安定した後に、第１〜第３循環運転のいずれかを行う場合、弁機構による流量調節で第２熱交換機構における冷媒の流量を一定に保持するから、第１〜第３循環運転の実施中に弁機構における冷媒の流量を変化させる場合と比較し、弁機構の調節制御と各ダンパの調節制御とを協調させることができる。
【００２７】
第２の特徴を有する本発明の排熱利用型除湿システムによれば、第１熱交換機構の上流側に延びる再生側上流ダクトと第２熱交換機構の下流側に延びる再生側下流ダクトとを排気空気環流ダクトによって連結し、第２熱交換機構によって温度が低下しつつ除湿された低温度かつ低湿度の排気空気を第１熱交換機構の上流側に延びる再生側上流ダクトに流入させるとともに、その排気空気を第１熱交換機構に流入させ、その排気空気を第１熱交換機構によって再び加熱して加熱空気を作り、その加熱空気によって除湿剤の除湿機能を再生させるから、第２熱交換機構によって温度および湿度が低下した排気空気を再利用することができ、第１熱交換機構の負荷を軽減することができるとともに、システムの省エネルギー化を図ることができる。排熱利用型除湿システムは、低湿度の排気空気を加熱した加熱空気を除湿機構に給気することで除湿剤の除湿機能を十分に再生させることができ、除湿機構によって作られた除湿空気を除湿空調空間に給気することができる。第１温度センサが測定した排気空気の測定温度が設定温度以下になった場合、第１ダンパの開度を全閉にするとともに第３ダンパの開度を所定の開度に保持して空気排気ダクトから排気する空気の流量を所定の流量に保持しつつ、第２ダンパの開度を大きくして排気空気環流ダクトを通流する排気空気の流量を多くする第１循環運転を行う排熱利用型除湿システムは、排気空気の測定温度が設定温度以下になっていることで、その排気空気の温度および湿度の低い状態が維持され、排気空気の温度や湿度が良好であり、パージ空気分を除いた良好な温度および湿度の全ての排気空気を第１熱交換機構に環流させて湿度の低い加熱空気を作ることができるから、第１熱交換機構の負荷を軽減することができ、システムの省エネルギー化を図ることができるのみならず、第１熱交換機構と除湿機構と第２熱交換機構とを循環する排気空気および加熱空気によって稼働する循環式の除湿システムを実現することができる。第１温度センサが測定した排気空気の測定温度が設定温度を超過した場合、第１ダンパの開度を全閉にするとともに第３ダンパの開度を所定の開度に保持して空気排気ダクトから排気する空気の流量を所定の流量に保持しつつ、第２ダンパの開度を小さくして排気空気環流ダクトを通流する排気空気の流量を少なくする第２循環運転を行う排熱利用型除湿システムは、排気空気の測定温度が設定温度を超過していることで、その排気空気の温度および湿度が高く、その場合に所定の温度および湿度に調節された外気を第１熱交換機構に給気することで、排気空気の温度を設定温度以下に戻すことができ、第１熱交換機構のヒートポンプの負荷を軽減してシステムの省エネルギー化を図りつつ、排気空気の温度を設定温度近傍に安定させることができるとともに、第２循環運転から第１循環運転速に速やかに移行させることができる。
【００２８】
第２ダンパの開度を全閉にして排気空気環流ダクトにおける排気空気の通流を遮断し、第３ダンパの開度を全閉にするとともに第１ダンパの開度を全開にして再生側下流ダクトから排気する排気空気の流量を最大にしつつシステムを起動する排気環流スタンバイ運転を含み、排気環流スタンバイ運転を実施してから第１温度センサが測定した排気空気の測定温度が安定した後に、第１温度センサが測定した排気空気の測定温度が設定温度以下になった場合、第１循環運転を実施し、第１温度センサが測定した排気空気の測定温度が設定温度を超過した場合、第２循環運転を実施する排熱利用型除湿システムは、排気環流スタンバイ運転時に排気空気環流ダクトにおける排気空気の通流や空気排気ダクトにおける空気の通流を遮断しつつ、第１ダンパの開度を全開にして再生側下流ダクトから排気する排気空気の流量を最大にし、所定の温度および所定の湿度に調節された外気を第１熱交換機構に流入させて加熱空気を作ることで、排気空気の温度を設定温度近傍に安定させることができ、排気環流スタンバイ運転後に第１循環運転や第２循環運転に円滑に移行することができる。排気環流スタンバイ運転を実施してから第１温度センサが測定した排気空気の測定温度が安定した後に、第１温度センサが測定した排気空気の測定温度が設定温度以下になり、第１循環運転を行う場合は、パージ空気分を除いた良好な温度および湿度の全ての排気空気を第１熱交換機構に流入させて湿度の低い加熱空気を作ることができるから、第１熱交換機構の負荷を軽減することができ、システムの省エネルギー化を図ることができるのみならず、第１熱交換機構と除湿機構と第２熱交換機構とを循環する加熱空気や排気空気によって稼働する循環式の除湿システムを実現することができる。排気環流スタンバイ運転を実施してから第１温度センサが測定した排気空気の測定温度が安定した後に、第１温度センサが測定した排気空気の測定温度が設定温度を超過し、第２循環運転を行う場合は、所定の温度および湿度に調節された外気を第１熱交換機構に給気することで、排気空気の温度を設定温度以下に戻すことができ、第１熱交換機構のヒートポンプの負荷を軽減してシステムの省エネルギー化を図りつつ、排気空気の温度を設定温度近傍に安定させることができ、第２循環運転から第１循環運転速に速やかに移行させることができる。
【００２９】
冷媒環流管や冷媒バイパス管、弁機構、第２温度センサを含み、第１循環運転と第２循環運転とのいずれかを実施中に、第２温度センサが測定した冷媒の測定温度が設定温度以上になった場合、各ダンパの開度を所定の開度に保持しつつ、弁機構を調節して冷媒バイパス管に流入する冷媒の流量を少なくするとともに、第２熱交換機構に流入する冷媒の流量を多くし、第２温度センサが測定した冷媒の測定温度が設定温度未満になった場合、各ダンパの開度を所定の開度に保持しつつ、弁機構を調節して冷媒バイパス管に流入する冷媒の流量を多くするとともに、第２熱交換機構に流入する冷媒の流量を少なくする排熱利用型除湿システムは、第１および第２循環運転のいずれかを実施中に冷媒の測定温度が設定温度以上になった場合、第２熱交換機構に流入する冷媒の流量を多くすることで、第２熱交換機構における温度調節機能や除湿機能を最大限に利用することができるとともに、第２熱交換機構によって排気空気の温度および湿度を確実に低下させることができ、第２熱交換機構によって温度および湿度が低下した排気空気を効率的に再利用することができる。排熱利用型除湿システムは、第１および第２循環運転のいずれかを実施中に冷媒の測定温度が設定温度未満になった場合、第２熱交換機構に流入する冷媒の流量を少なくするから、ヒートポンプを利用した第１熱交換機構の加熱能力が下がり、たとえば、除湿剤の除湿機能の再生温度が低い場合に加熱空気の温度を低くすることができ、第１熱交換機構において消費されるエネルギーを抑えつつ除湿剤の除湿機能を回復させることができる。排熱利用型除湿システムは、弁機構を調節して冷媒の流量を調節する場合、各ダンパの開度を所定の開度に保持するから、弁機構の調節中に各ダンパの開度を変化させる場合と比較し、弁機構の調節制御と各ダンパの調節制御とを協調させることができる。
【００３０】
排気環流スタンバイ運転を実施中に、第２温度センサが測定した冷媒の測定温度が設定温度以上になった場合、弁機構を調節して冷媒バイパス管に流入する冷媒の流量を少なくするとともに、第２熱交換機構に流入する冷媒の流量を多くし、第２温度センサが測定した冷媒の測定温度が設定温度未満になった場合、弁機構を調節して冷媒バイパス管に流入する冷媒の流量を多くするとともに、第２熱交換機構に流入する冷媒の流量を少なくし、排気環流スタンバイ運転を実施してから第１温度センサが測定した排気空気の測定温度が安定した後に、第１温度センサが測定した排気空気の測定温度が設定温度以下になった場合、弁機構における冷媒の流量を一定に保持しつつ第１循環運転を実施し、第１温度センサが測定した排気空気の測定温度が設定温度を超過した場合、弁機構における冷媒の流量を一定に保持しつつ第２循環運転を実施する排熱利用型除湿システムは、排気環流スタンバイ運転を実施中に冷媒の測定温度が設定温度以上になった場合、第２熱交換機構に流入する冷媒の流量を多くすることで、第２熱交換機構における温度調節機能や除湿機能を最大限に利用することができるから、第２熱交換機構によって排気空気の温度および湿度を確実に低下させることができるとともに、排気空気の温度を設定温度近傍に速やかに安定させることができ、排気環流スタンバイ運転後に第１循環運転や第２循環運転に円滑に移行することができる。排熱利用型除湿システムは、排気環流スタンバイ運転を実施中に冷媒の測定温度が設定温度未満になった場合、第２熱交換機構に流入する冷媒の流量を少なくすることで、ヒートポンプを利用した第１熱交換機構の加熱能力が下がり、たとえば、除湿剤の除湿機能の再生温度が低い場合に加熱空気の温度を低くすることができ、第１熱交換機構において消費されるエネルギーを抑えつつ除湿剤の除湿機能を回復させることができる。排熱利用型除湿システムは、排気環流スタンバイ運転を実施してから第１温度センサが測定した排気空気の測定温度が安定した後に、第１循環運転と第２循環運転とのいずれかを行う場合、弁機構による流量調節で第２熱交換機構における冷媒の流量を一定に保持するから、第１および第２循環運転の実施中に弁機構における冷媒の流量を変化させる場合と比較し、弁機構の調節制御と各ダンパの調節制御とを協調させることができる。
【００３１】
第１熱交換機構と除湿機構との間に設置され、第１熱交換機構によって所定温度に加熱された加熱空気を加熱するヒーターを含む排熱利用型除湿システムは、ヒーターを利用して所定温度に加熱された加熱空気をさらに加熱するから、外気の温度が低い冬期のようにヒートポンプの蒸発器に供給する熱量が少ない状態であっても除湿機構に給気する空気を十分に加熱することができ、その加熱空気を利用して除湿剤の除湿機能を確実に再生させることができる。
【００３２】
第２熱交換機構がコイルユニットであり、コイルユニットが排気空気の排熱を回収しつつ排気空気を除湿する排熱利用型除湿システムは、コイルユニットによって排気空気の温度や湿度を確実に低下させることができるから、低温度かつ低湿度の排気空気を第１熱交換機構の上流側に延びる再生側上流ダクトに流入させるとともに、その排気空気を第１熱交換機構に流入させ、その排気空気を第１熱交換機構によって加熱して低湿度の加熱空気を作ることができ、その加熱空気によって除湿剤の除湿機能を確実に再生させることができる。排熱利用型除湿システムは、除湿機能再生ゾーンの除湿機構を通流するとともにコイルユニットによって温度および湿度が低下した排気空気を再利用することができ、第１熱交換機構の負荷を軽減することができるとともに、システムの省エネルギー化を図ることができる。
【００３３】
除湿処理ゾーンの除湿機構と除湿機能再生ゾーンの除湿機構とに給気する外気を除湿しつつその外気の温度を調節する外気調和機を含む排熱利用型除湿システムは、第１温度センサが測定した排気空気の測定温度が設定温度以下になった場合、排気空気環流ダクトに通流させる排気空気の流量が多くし、外気調和機によって所定の温度および湿度に調節された外気の第１熱交換機構への給気が少なくなり、または、外気調和機によって所定の温度および湿度に調節された外気の第１熱交換機構への給気が停止することで、気調和機の負荷を軽減することができ、外気調和機において消費されるエネルギーを低減させることでシステムの省エネルギー化を図ることができる。排熱利用型除湿システムは、第１温度センサが測定した前記排気空気の測定温度が設定温度を超過した場合、外気調和機を利用して所定の温度および湿度に調節された外気を第１熱交換機構に流入させて加熱空気を作ることで、排気空気の温度を設定温度近傍に安定させることができ、排気環流スタンバイ運転後に各循環運転に円滑に移行することができる。
【００３４】
除湿機構がデシカントローターであり、冷媒が水またはブラインである排熱利用型除湿システムは、デシカントローターを利用して空気に含まれる湿気を除去した除湿空気を確実に作ることができ、その除湿空気を除湿空調空間に給気することができる。排熱利用型除湿システムは、水またはブラインの冷媒を利用することで、第１熱交換機構と第２熱交換機構との間で確実に熱交換が行われ、第２熱交換機構によって回収された排気空気の排熱を第１熱交換機構における空気の加熱に確実に利用することができる。
【図面の簡単な説明】
【００３５】
【図１】一例として示す排熱利用型除湿システムの構成図。
【図２】除湿空調空間に対する除湿空気の給気および還気の一例を示す図。
【図３】除湿空調空間に対する除湿空気の給気および排気の他の一例を示す図。
【図４】排熱利用型除湿システムの排気環流スタンバイ運転を説明する図。
【図５】排熱利用型除湿システムの第１循環運転または第３循環運転を説明する図。
【図６】排熱利用型除湿システムの第２循環運転を説明する図。
【図７】他の一例として示す排熱利用型除湿システムの構成図。
【図８】図７の排熱利用型除湿システムの排気環流スタンバイ運転を説明する図。
【図９】図７の排熱利用型除湿システムの第１循環運転または第３循環運転を説明する図。
【図１０】図７の排熱利用型除湿システムの第２循環運転を説明する図。
【図１１】他の一例として示す排熱利用型除湿システムの構成図。
【図１２】図１１の排熱利用型除湿システムの排気環流スタンバイ運転を説明する図。
【図１３】図１１の排熱利用型除湿システムの第１循環運転または第２循環運転を説明する図。
【図１４】他の一例として示す排熱利用型除湿システムの構成図。
【図１５】図１４の排熱利用型除湿システムの排気環流スタンバイ運転を説明する図。
【図１６】図１４の排熱利用型除湿システムの第１循環運転または第２循環運転を説明する図。
【発明を実施するための形態】
【００３６】
一例として示す排熱利用型除湿システム１０Ａの構成図である図１等の添付の図面を参照し、本発明にかかる排熱利用型除湿システムの詳細を説明すると、以下のとおりである。なお、図２は、除湿空調空間３５に対する除湿空気の給気および還気の一例を示す図であり、図３は、除湿空調空間３５に対する除湿空気の給気および排気の他の一例を示す図である。図１では、除湿空調空間３５の図示を省略し、図２，３では、デシカント空調機１１の構成機器の図示を省略している。
【００３７】
排熱利用型除湿システム１０Ａ（後記する排熱利用型除湿システム１０Ｂ〜１０Ｄを含む）は、湿度が低い除湿空気（低露点空気を含む）を作り、その除湿空気をリチウム電池製造工場や製薬工場、クリーンルーム、環境試験室、食品加工工場、半導体製造工場、機械製品倉庫等の除湿空気を必要とする除湿空調空間３５（図２，３参照）に給気する。排熱利用型除湿システム１０Ａは、デシカント空調機１１、第１熱交換機構１２、ヒーター１３、第２熱交換機構１４、外気調和機１５、コントローラ１６を備えている。
【００３８】
デシカント空調機１１は、デシカントローター１７（除湿機構）と、デシカントローター１７を利用して除湿空気を作る除湿処理ゾーン１８と、デシカントローター１７（除湿剤）の除湿機能を再生する除湿機能再生ゾーン１９とを有する。デシカントローター１７は、除湿処理ゾーン１８と除湿機能再生ゾーン１９とに配置されている。デシカントローター１７は、円筒筐体の内部にシリカゲル剤やゼオライト剤等の除湿剤（図示せず）が収容され、デシカント空調機１１の内部において一方向へ回転し、除湿処理ゾーン１８と除湿機能再生ゾーン１９とを繰り返し移動する。
【００３９】
デシカントローター１７は、除湿処理ゾーン１８に位置する部分が除湿域２０になり、除湿機能再生ゾーン１９に位置する部分が放湿域２１になる。除湿処理ゾーン１８に位置するデシカントローター１７の除湿域２０では、空気に含まれる湿気を除湿剤に吸着（吸湿）させて除湿空気を作る。除湿機能再生ゾーン１９に位置するデシカントローター１７の放湿域２１では、湿気を吸着した除湿剤に加熱空気を通流させて除湿剤を加熱し、除湿剤から湿気を放出させて除湿剤の除湿機能を再生する。
【００４０】
デシカント空調機１１の除湿処理ゾーン１８の上流側には、処理側上流ダクト２２が設置されている。処理側上流ダクト２２は、除湿処理ゾーン１８の空気取入口に連結され、除湿処理ゾーン１８と建物の外気取入口（図示せず）とにつながっている。処理側上流ダクト２２には、建物の除湿空調空間３５につながる除湿空間環流ダクト２３が連結されている。デシカント空調機１１の除湿処理ゾーン１８の下流側には、処理側下流ダクト２４が設置されている。処理側下流ダクト２４は、除湿処理ゾーン１８の空気給気口に連結され、除湿処理ゾーン１８と建物の除湿空調空間３５とにつながっている。
【００４１】
デシカント空調機１１の除湿機能再生ゾーン１９の上流側には、再生側上流ダクト２５が設置されている。再生側上流ダクト２５は、除湿機能再生ゾーン１９の空気取入口に連結され、除湿機能再生ゾーン１９と建物の外気取入口とにつながっている。デシカント空調機１１の除湿機能再生ゾーン１９の下流側には、再生側下流ダクト２６が設置されている。再生側下流ダクト２６は、除湿機能再生ゾーン１９の空気排気口に連結され、除湿機能再生ゾーン１９と建物の排気口（図示せず）とにつながっている。
【００４２】
デシカント空調機１１の除湿処理ゾーン１８における空気取入口（処理側上流ダクト２２）とデシカントローター１７との間には、給気用送風機２７が設置されている。デシカント空調機１１の除湿機能再生ゾーン１９におけるデシカントローター１７と空気排気口（再生側下流ダクト２６）との間には、排気用送風機２８が設置されている。再生側上流ダクト２５および再生側下流ダクト２６には、排気空気環流ダクト２９が設置されている。
【００４３】
排気空気環流ダクト２９は、第１熱交換機構１２の上流側に延びる再生側上流ダクト２５に連結されているとともに、第２熱交換機構１４の下流側に延びる再生側下流ダクト２６に連結されている。排気空気環流ダクト２９は、除湿機能再生ゾーン１９のデシカントローター１７を通流した排気空気を再生側下流ダクト２６から再生側上流ダクト２５に環流させる。
【００４４】
デシカント空調機１１では、給気用送風機２７が起動すると、空気が処理側上流ダクト２２から空気取入口を通って除湿処理ゾーン１８に流入し、空気がデシカントローター１７の除湿剤に接触して湿気が吸湿された除湿空気が作られた後、その除湿空気が空気給気口から処理側下流ダクト２４に流入する。また、排気用送風機２８が起動すると、空気が再生側上流ダクト２５から空気取入口を通って除湿機能再生ゾーン１９に流入し、第１熱交換機構１２やヒーター１３によって加熱された加熱空気がデシカントローター１７の除湿剤に接触して除湿剤を乾燥させた後、排気空気（加熱空気）が空気排気口から再生側下流ダクト２６に流入する。
【００４５】
排気空気環流ダクト２９の下流側に延びる再生側下流ダクト２６には、第１ダンパ３０（第１モーターダンパ）が設置されている。第１ダンパ３０は、再生側下流ダクト２６から排気する排気空気の流量を調節する。第１ダンパ３０は、その制御部（図示せず）が制御信号線３１を介してコントローラ１６に接続されている。再生側下流ダクト２６の近傍に延びる排気空気環流ダクト２９には、第２ダンパ３２（第２モーターダンパ）が設置されている。第２ダンパ３２は、排気空気環流ダクト２９を通流する排気空気の流量を調節する。第２ダンパ３２は、その制御部（図示せず）が制御信号線３１を介してコントローラ１６に接続されている。
【００４６】
第２熱交換機構１４と排気空気循環ダクト２９との間に延びる再生側下流ダクト２６には、第１温度センサ３３が設置されている。第１温度センサ３３は、制御信号線３１を介してコントローラ１６に接続されている。第１温度センサ３３は、再生側下流ダクト２６を通流する排気空気の温度を測定し、測定した排気空気の温度（測定温度）をコントローラ１６に送信する。デシカントローター１７の上流側に位置する除湿機能再生ゾーン１８には、温度センサ３４が設置されている。温度センサ３４は、制御信号線３１を介してコントローラ１６に接続されている。温度センサ３４は、除湿機能再生ゾーン１９を通流する加熱空気の温度を測定し、測定した加熱空気の温度（測定温度）をコントローラ１６にする。
【００４７】
除湿空調空間３５に対する除湿空気の給排気の一例としては、図２に示すように、デシカント空調機１１によって作られた除湿空気が処理側下流ダクト２４から除湿空調空間３５に給気され、除湿空調空間３５から排気された環気空気が除湿空間環流ダクト２３を通って処理側上流ダクト２２に戻される。デシカント空調機１１の除湿処理ゾーン１８には、除湿空調空間３５から排気された環気空気が給気されるとともに、処理側上流ダクト２２から取り入れられた外気が給気される。除湿空調空間３５に対する除湿空気の給排気の他の一例としては、図３に示すように、除湿空調空間３５から排気された空気が処理側上流ダクト２２に戻されることなく、室外（外気）に放出される。デシカント空調機１１の除湿処理ゾーン１８には、処理側上流ダクト２２から取り入れられた所定流量の外気が給気される。なお、図２の除湿空気の給排気を例としてシステム１０Ａ〜１０Ｄを説明する。
【００４８】
第１熱交換機構１２は、デシカントローター１７（除湿機能再生ゾーン１８）の上流側に配置され、再生側上流ダクト２２に設置されている。第１熱交換機構１２は、インバーター制御方式のコンプレッサー３６（圧縮機）を有するヒートポンプユニット３７と熱交換器３８とから形成されている。ヒートポンプユニット３７は、ＣＯ２を冷媒とした冷凍サイクルを構成する。ヒートポンプユニット３７は、再生側上流ダクト２２の内部に設置された凝縮器３９と、熱交換器３８の内部に設置された蒸発器４０と、膨張弁４７とを有する。
【００４９】
ヒートポンプユニット３７のコンプレッサー３６や凝縮器３９、蒸発器４０、膨張弁４７は、往管４１および還管４２によって連結されている。ヒートポンプユニット３７のコンプレッサー３６は、往管４１に設置されている。ヒートポンプユニット３７は、その制御部（図示せず）が制御信号線３１を介してコントローラ１６に接続されている。なお、凝縮器３９がデシカントローター１７の上流側の除湿機能再生ゾーン１８（デシカント空調機１１の内部）に設置されていてもよい。
【００５０】
熱交換器３８には、第１熱交換機構１２（ヒートポンプユニット３７の蒸発器４０）と熱交換する熱交換コイル４３が設置されている。熱交換コイル４３には、冷媒環流管４４が連結されている。冷媒環流管４４は、冷媒を熱交換器３８の熱交換コイル４３と第２熱交換機構１４とに環流（冷媒を第１熱交換機構１２と第２熱交換機構１４とに環流）させる。熱交換コイル４３と第２熱交換機構１４との間に延びる冷媒環流管４４には、冷媒を循環させる循環ポンプ４５が設置されている。第２熱交換機構１４や熱交換コイル４３、冷媒環流管４４を通流する冷媒には、水またはブラインが使用されているが、水やブラインとは異なる冷媒を利用することもできる。
【００５１】
ヒーター１３は、第１熱交換機構１２とデシカント空調１７との間に延びる再生側上流ダクト２２に設置されている。ヒーター１３は、ヒートポンプユニット３７の凝縮器３９（第１熱交換機構１２）によって所定温度に加熱された加熱空気をさらに加熱する。ヒーター１３は、凝縮器３９における空気の加熱が不十分である場合にその加熱機能を補い、除湿機能再生ゾーン１９のデシカントローター１７に給気する空気を所定温度（約１２０〜約１３０℃）にまで昇温させる。ヒーター１３は、その制御部（図示せず）が制御信号線３１を介してコントローラ１６に接続されている。
【００５２】
第２熱交換機構１４は、デシカントローター１７（除湿機能再生ゾーン１９）の下流側に配置され、再生側下流ダクト２６に設置されている。第２熱交換機構１４は、熱交換コイルを備えたコイルユニット４６であり、そのコイルユニット４６が再生側下流ダクト２６の内部に設置されている。コイルユニット４６には、熱交換器３８の熱交換コイル４３から延びる冷媒環流管４４が連結されている。
【００５３】
なお、コイルユニット４６がデシカントローター１７の下流側の除湿機能再生ゾーン１９（デシカント空調機１１の内部）に設置されていてもよい。第２熱交換機構１４では、コイルユニット４６に流入する冷媒（水やブライン）を利用して再生側下流ダクト２６を通流する排気空気（除湿機能再生ゾーン１９のデシカントローター１７の放湿域２１を通流した排気空気）と熱交換を行い、排気空気の熱（排熱）を回収する。
【００５４】
外気調和機１５は、外気を所定の温度および所定の湿度に調節して空調空気を作り、その空調空気を再生側上流ダクト２５に給気するとともに、空調空気を処理側上流ダクト２２に給気する。なお、図１では、外気調和機１５が排気空気環流ダクト２９の上流側に延びる再生側上流ダクト２５と空調空間環流ダクト２３の上流側に延びる処理側上流ダクト２２とに設置された状態が図示されているが、再生側上流ダクト２５と処理側上流ダクト２２とに設置された外気調和機１５は同一のそれであり、１台の外気調和機１５によって再生側上流ダクト２５と処理側上流ダクト２２とに空調空気を給気する。
【００５５】
コントローラ１６は、中央処理装置と記憶装置と記憶領域（ハードディスク等）とを備え、物理的なＯＳ（オペレーティングシステム）によって動作する論理的なコンピュータである。コントローラ１６の記憶領域には、デシカントローター１７の放湿域２１に給気される加熱空気の設定温度（約１２０〜約１３０℃）が格納され、第２熱交換機構１４（コイルユニット４６）の下流側に延びる再生側下流ダクト２６を通流する排気空気の設定温度（たとえば、１２℃）が格納されている。各設定温度は、任意に設定することができる。コントローラ１６は、温度センサ３４から送信された加熱空気の測定温度と加熱空気設定温度とを比較し、比較結果に基づいてヒートポンプユニット３７のコンプレッサー３６の回転数の増減を調節し、ヒーター１３の発停を行うとともに、ヒーター１３の熱量（出力）の増減を調節する。
【００５６】
コントローラ１６がコンプレッサー３６の回転数を増加させる回転数増加信号をヒートポンプユニット３７の制御部に送ると、ヒートポンプユニット３７の制御部がコンプレッサー３６の回転数を増加させ、ヒートポンプユニット３７の仕事量が増加する。逆に、コントローラ１６がコンプレッサー３６の回転数を減少させる回転数減少信号をヒートポンプユニット３７の制御部に送ると、ヒートポンプユニット３７の制御部がコンプレッサー３６の回転数を減少させ、ヒートポンプユニット３７の仕事量が減少する。
【００５７】
コントローラ１６がＯＮ信号（起動信号）をヒーター１３の制御部に送ると、制御部がヒーター１３を稼働させる。コントローラ１６がＯＦＦ信号（停止信号）をヒーター１３の制御部に送ると、制御部が稼働中のヒーター１３を停止させる。コントローラ１６が熱量増加信号をヒーター１３の制御部に送ると、制御部が稼働中のヒーター１３の熱量を増加させ、コントローラ１６が熱量減少信号をヒーター１３の制御部に送ると、制御部が稼働中のヒーター１３の熱量を減少させる。
【００５８】
ヒートポンプユニット３７の凝縮器３９（ヒーター１３を含む場合がある）によって除湿機能再生ゾーン１９を通る空気が所定温度（約１２０〜約１３０℃）に加熱されて加熱空気になり、熱交換コイル４３がヒートポンプユニット３７の蒸発器３９と熱交換することにより、冷媒環流管４４から熱交換コイル４３に流入した冷媒が所定温度（約７℃）に冷却される。冷却された冷媒は、熱交換コイル４３から冷媒環流管４４に流入し、冷媒環流管４４を通って第２熱交換機構１４（コイルユニット４６）に流入し、所定温度（約１２℃）に昇温される。
【００５９】
図４は、排熱利用型除湿システム１０Ａの排気環流スタンバイ運転（システム予備運転）を説明する図であり、図５は、排熱利用型除湿システム１０Ａの第１循環運転または第３循環運転を説明する図である。図６は、排熱利用型除湿システム１０Ａの第２循環運転を説明する図である。図４〜図６では、除湿空調空間３５の図示を省略している。図４〜図６では、ダクト２５，２６，２９やデシカント空調機１１における加熱空気や排気空気の流れを矢印Ａ１で示し、ダクト２２，２３，２４やデシカント空調機１１における外気や除湿空気、環気空気の流れを矢印Ａ２で示す。
【００６０】
コントローラ１６のシステム起動スイッチをＯＮにすると、除湿システム１０Ａが起動する。除湿システム１０Ａが起動すると、デシカント空調機１１や第１熱交換機構１２（ヒートポンプユニット３７）、ヒーター１３、第２熱交換機構１４（コイルユニット４６）、外気調和機１５、第１および第２ダンパ３０，３２、各温度センサ３３，３４、循環ポンプ４５が起動する。
【００６１】
デシカント空調機１１が起動すると、給気用送風機２７や排気用送風機２８が起動し、デシカントローター１７が一方向へ回転を開始する。ヒートポンプユニット３７や循環ポンプ４５が稼働すると、冷媒が冷媒環流管４４を環流し、冷媒が往管４１および還管４２を環流する。温度センサ３４は、除湿機能再生ゾーン１９を通流する加熱空気の温度測定を開始し、測定した加熱空気の測定温度をコントローラ１６に送信する。第１温度センサ３３は、再生側下流ダクト２６を通流する排気空気の温度測定を開始し、測定した排気空気の測定温度をコントローラ１６に送信する。
【００６２】
排熱利用型除湿システム１０Ａでは、その起動時に排気環流スタンバイ運転が実施される。排気環流スタンバイ運転においてコントローラ１６は、第１ダンパ３０の制御部に開度全開信号を送信し、第２ダンパ３２の制御部に開度全閉信号を送信する。開度全開信号を受信した第１ダンパ３０の制御部は、第１ダンパ３０の旋回羽根を旋回させてダンパ３０の空気流路を開放（全開）し、再生側下流ダクト２６から排気する排気空気の流量を最大にする。開度全閉信号を受信した第２ダンパ３２の制御部は、第２ダンパ３２の旋回羽根を旋回させてダンパ３２の空気流路を閉鎖（全閉）し、排気空気環流ダクト２９への排気空気の流入を遮断する。
【００６３】
排気環流スタンバイ運転では、図４に矢印Ａ１で示すように、外気が外気調和機１５に流入し、外気調和機１５によって外気の温度と湿度とが調節され、所定の温度と湿度とに調節された空調空気が作られる。空調空気は、再生側上流ダクト２５を通って第１熱交換機構１２の凝縮器３９に流入するとともに、処理側上流ダクト２２を通ってデシカント空調機１１の除湿処理ゾーン１８に流入する。第１熱交換機構１２では、ヒートポンプユニット３７のコンプレッサー３６によって冷媒（ＣＯ２）が往管４１および還管４２（コンプレッサー３６、凝縮器３９、蒸発器４０、膨張弁４７）を環流し、凝縮器３９によって空調空気が加熱され、所定温度の加熱空気が作られる。
【００６４】
温度センサ３４によって測定された加熱空気の測定温度がコントローラ１６に送信されると、コントローラ１６が加熱空気（デシカントローター１７の放湿域２１に給気される加熱空気）の測定温度と記憶領域に格納された設定温度（約１２０℃〜約１３０℃）とを比較する。コントローラ１６は、加熱空気の測定温度が設定温度の範囲内に入るように、ヒートポンプユニット３７のコンプレッサー３６やヒーター１３に対してフィードバック制御またはフィードフォワード制御を行う。コントローラ１６は、ヒートポンプユニット３７の仕事量を増減させ、または、ヒーター１３の発停を行い、あるいは、ヒーター１３の熱量（出力）を増減させることで、加熱空気の測定温度が設定温度になるように加熱空気の温度を調節する。
【００６５】
第１熱交換機構１２の熱交換機３８では、ヒートポンプユニット３７の蒸発器４０と熱交換コイル４３との間で熱交換が行われ、冷媒環流管４４から熱交換コイル４３に流入した冷媒（約１２℃の水またはブライン）が所定温度（約７℃）に冷却されてその冷媒が再び冷媒環流管４４に流出し、冷媒環流管４４を通って第２熱交換機構１４（コイルユニット４６）に送られる。第１熱交換機構１２（ヒートポンプユニット３７の凝縮器３９）によって加熱された加熱空気は、除湿機能再生ゾーン１９を通って再生ゾーン１９に位置するデシカントローター１７の放湿域２１を通流する。加熱空気が放湿域２１を通流する際、デシカントローター１７の放湿域２１に存在する除湿剤が加熱空気によって加熱され、除湿剤に吸着された湿気が放出されることで、デシカントローター１７（除湿剤）の除湿機能が再生（乾燥による吸着性能の回復）する。
【００６６】
デシカントローター１７の放湿域２１を通流した排気空気（加熱空気）（約８０℃）は、除湿機能再生ゾーン１９から再生側下流ダクト２６に流入し、再生側下流ダクト２６を通って屋外（外気）に放出される。排気空気が再生側下流ダクト２６を通流するときに、第２熱交換機構１２（コイルユニット４６）を流動する冷媒と再生側下流ダクト２６を通流する排気空気との間で熱交換が行われ、排気空気の排熱が第２熱交換機構１２によって回収される。回収された交換熱は、冷媒によって熱交換機３８の熱交換コイル４３に運ばれる。なお、排気空気は、コイルユニット４６によってその温度が低下しつつ除湿され、低温度かつ低湿度の排気空気になる。
【００６７】
外気調和機１５によって湿気が除去されるとともに所定温度に冷却された空調空気は、図４に矢印Ａ２で示すように、外気調和機１５から処理側上流ダクト２２を通ってデシカント空調機１１の除湿処理ゾーン１８に流入する。除湿処理ゾーン１８に流入した空調空気は、除湿処理ゾーン１８に位置するデシカントローター１７の除湿域２０を通流する。空調空気が除湿域２０を通流することで、空気の湿気が除湿剤によって除去されて除湿空気（低露点空気を含む）が作られる。
【００６８】
除湿空気は、デシカントローター１７の下流側に延びる除湿処理ゾーン１８から処理側下流ダクト２４に流入し、処理側下流ダクト２４を通って除湿空調空間３５に給気される。除湿空調空間３５に給気された除湿空気は、除湿空調空間３５の湿気を含んだ環気空気になる。環気空気は、除湿空調空間３５から空間環流ダクト２３に流入し、空間環流ダクト２３を通って処理側上流ダクト２２に流入し、空調空気と混合されて再びデシカントローター１７の除湿域２０を通流して除湿空気になる。
【００６９】
排熱利用型除湿システム１０Ａ（排熱利用型除湿システム１０Ｂ〜１０Ｄを含む）は、その起動運転時に排気空気環流ダクト２９における排気空気の通流を遮断しつつ、第１ダンパ３０の開度を全開にして再生側下流ダクト２６から排気する排気空気の流量を最大にし、外気調和機１５によって所定の温度および所定の湿度に調節された空調空気（外気）を第１熱交換機構１２の凝縮器３９に流入させて加熱空気を作ることで、排気空気の温度を設定温度近傍に安定させることができ、排気環流スタンバイ運転後に第１および第２循環運転や第３循環運転に円滑に移行することができる。
【００７０】
排熱利用型除湿システム１０Ａ（排熱利用型除湿システム１０Ｂ〜１０Ｄを含む）は、除湿機能再生ゾーン１９のデシカントローター１７の放湿域２１を通流した排気空気の排熱（交換熱）を第２熱交換機構１４（コイルユニット４６）が冷媒を利用して回収し、第２熱交換機構１４によって回収された排熱が冷媒を利用して第２熱交換機構１４から熱交換器３８に供給され、ヒートポンプユニット３７を利用した第１熱交換機構１２の蒸発機４０と熱交換コイル４３との間で熱交換が行われることで、排気空気の排熱が第１熱交換機構１２における空気の加熱に利用されるから、デシカントローター１７の除湿剤の除湿機能の再生に使用された排気空気の排熱が無駄に捨てられることはなく、排気空気から回収した排熱を利用してヒートポンプユニット３７における空気の加熱に再利用することができる。
【００７１】
排熱利用型除湿システム１０Ａ排熱利用型除湿システム１０Ｂ〜１０Ｄを含む）は、排気空気の排熱を第１熱交換機構１２における空気の加熱に利用することで、外気の温度が低い冬期であってもヒートポンプユニット３７を安定して運転することができるため、デシカントローター１７に給気する空気を十分に加熱することができ、その加熱空気を利用してデシカントローター１７の除湿剤の除湿機能を確実に再生させることができる。
【００７２】
コントローラ１６は、排気環流スタンバイ運転を実施してから所定時間が経過し、第１温度センサ３３が測定した排気空気の測定温度が安定した後、第１循環運転〜第３循環運転のうちのいずれかを実施する。コントローラ１６は、第１温度センサ３３が測定した排気空気の測定温度と記憶領域に格納された排気空気の設定温度とを比較し、排気空気の測定温度が設定温度以下になった場合（測定温度≦設定温度）、第１循環運転と第２循環運転とのいずれかを実施する。コントローラ１６は、排気空気の測定温度が設定温度を超過した場合（測定温度＞設定温度）、第３循環運転を実施する。第１〜第３循環運転では、排気環流スタンバイ運転と同様に、デシカントローター１７の除湿域を通流した除湿空気が処理側下流ダクト２４を通って除湿空調空間３５に給気される。
【００７３】
除湿システム１０Ａでは、排気空気の測定温度が設定温度以下になった場合であって、再生側上流ダクト２５から所定流量の外気（空調空気）が給気され、その外気の流量の分を再生側下流ダクト２６から屋外（外気）に放出する場合に第１循環運転が行われる。第１循環運転においてコントローラ１６は、第１ダンパ３０の制御部に開度保持信号を送信し、第２ダンパ３２の制御部に開度拡大信号を送信する。開度保持信号を受信した第１ダンパ３０の制御部は、第１ダンパ３０の旋回羽根の旋回を停止し、現状の開度を保持する。第１ダンパ３０の空気流路を通過した排気空気（外気の流量の分）は、再生側下流ダクト２６を通って屋外に放出される。開度拡大信号を受信した第２ダンパ３２の制御部は、第２ダンパ３２の旋回羽根を旋回させ、開度を大きくし、排気空気環流ダクト２９を通流する排気空気の流量を多くする。
【００７４】
排気空気環流ダクト２９に流入した低温度かつ低湿度の多量の排気空気は、図５に矢印Ａ１で示すように、排気空気環流ダクト２９を通って再生側上流ダクト２５に流入し、外気調和機１５によって所定の温度および湿度に調節された少量の空調空気（外気）と混合され、第１熱交換機構１２の凝縮器３９によって再び加熱されて加熱空気となり、デシカントローター１７の放湿域２１を通流し、デシカントローター１７の除湿剤の除湿機能を再生する。
【００７５】
排熱利用型除湿システム１０Ａは、第１温度センサ３３が測定した排気空気の測定温度が設定温度以下になり、第１循環運転を行う場合、温度および湿度の低い状態が維持された多量の排気空気を第１熱交換機構１２の凝縮器３９に環流させて湿度の低い加熱空気を作ることができるから、外気調和機１５によって低温度かつ低湿度に調節された多量の外気を第１熱交換機構１２に給気する必要はなく、外気調和機１５の負荷を軽減することができ、外気調和機１５において消費されるエネルギーを低減させることでシステム１０Ａの省エネルギー化を図ることができる。
【００７６】
除湿システム１０Ａでは、排気空気の測定温度が設定温度以下になった場合であって、外気調和機１５が停止し、外気の給気が遮断（停止）される場合に第２循環運転が行われる。第２循環運転においてコントローラ１６は、第１ダンパ３０の制御部に開度全閉信号を送信し、第２ダンパ３２の制御部に開度全開信号を送信する。開度全閉信号を受信した第１ダンパ３０の制御部は、第１ダンパ３０の旋回羽根を旋回させ、開度を全閉にして第１ダンパ３０の空気流路を遮断する。開度全開信号を受信した第２ダンパ３２の制御部は、第２ダンパ３２の旋回羽根を旋回させ、開度を全開にする。
【００７７】
排気空気は、図６に矢印Ａ１で示すように、その全てが排気空気環流ダクト２９に流入する。排気空気環流ダクト２９に流入した低温度かつ低湿度の全ての排気空気は、排気空気環流ダクト２９を通って再生側上流ダクト２５に流入し、第１熱交換機構１２の凝縮器３９によって再び加熱されて加熱空気となり、デシカントローター１７の放湿域２１を通流し、デシカントローター１７の除湿剤の除湿機能を再生する。
【００７８】
排熱利用型除湿システム１０Ａは、第１温度センサ３３が測定した排気空気の測定温度が設定温度以下になり、第２循環運転を行う場合、温度および湿度の低い状態が維持された全ての排気空気を第１熱交換機構１２の凝縮器３９に環流させて湿度の低い加熱空気を作ることができるから、外気調和機１５によって低温度かつ低湿度に調節された外気を第１熱交換機構１２に給気する必要はなく、外気調和機１５の負荷を軽減することができ、システム１０Ａの省エネルギー化を図ることができるのみならず、第１熱交換機構１２の凝縮器３９とデシカント空調機１１（除湿機構）と第２熱交換機構１４（コイルユニット４６）とを循環する排気空気および加熱空気によって稼働する循環式の除湿システム１０Ａを実現することができる。
【００７９】
除湿システム１０Ａでは、排気空気の測定温度が設定温度を超過した場合、第３循環運転が行われる。第３循環運転においてコントローラ１６は、第１ダンパ３０の制御部に開度保持信号を送信し、第２ダンパ３２の制御部に開度縮小信号を送信する。開度保持信号を受信した第１ダンパ３０の制御部は、第１ダンパ３０の旋回羽根の旋回を停止し、現状の開度を保持する。第１ダンパ３０の空気流路を通過した排気空気（外気の流量の分）は、再生側下流ダクト２６を通って屋外に放出される。開度縮小信号を受信した第２ダンパ３２の制御部は、第２ダンパ３２の旋回羽根を旋回させ、開度を小さくし、排気空気環流ダクト２９を通流する排気空気の流量を少なくする。
【００８０】
排気空気環流ダクト２９に流入した低温度かつ低湿度の少量の排気空気は、図５に矢印Ａ１で示すように、排気空気環流ダクト２９を通って再生側上流ダクト２５に流入し、外気調和機１５によって所定の温度および湿度に調節された多量の空調空気と混合されて第１熱交換機構１２の凝縮器３９によって再び加熱されて加熱空気となり、デシカントローター１７の放湿域２１を通流し、デシカントローター１７の除湿剤の除湿機能を再生する。
【００８１】
排熱利用型除湿システム１０Ａは、排気空気の測定温度が設定温度を超過し、第３循環運転を行う場合、温度および湿度が高い少量の排気空気を循環させるとともに、所定の温度および湿度に調節された空調空気（外気）を第１熱交換機構１２に給気することで、排気空気の温度を設定温度以下に戻すことができ、第１熱交換機構１２のヒートポンプユニット３７の負荷を軽減してシステム１０Ａの省エネルギー化を図りつつ、排気空気の温度を設定温度近傍に安定させることができるとともに、第３循環運転から第１および第２循環運転速のいずれかに速やかに移行させることができる。
【００８２】
排熱利用型除湿システム１０Ａ（排熱利用型除湿システム１０Ｂ〜１０Ｄを含む）は、第１熱交換機構１２の上流側に延びる再生側上流ダクト２５と第２熱交換機構１４の下流側に延びる再生側下流ダクト２６とを排気空気環流ダクト２９によって連結し、第２熱交換機構１４（コイルユニット４６）によって温度が低下しつつ除湿された低温度かつ低湿度の排気空気を第１熱交換機構１２の上流側に延びる再生側上流ダクト２５に流入させるとともに、その排気空気を第１熱交換機構１２の凝縮器３９に流入させ、その排気空気を第１熱交換機構１２によって再び加熱して加熱空気を作り、その加熱空気によって除湿剤の除湿機能を再生させるから、コイルユニット４６によって温度および湿度が低下した排気空気を再利用することができ、システム１０Ａの省エネルギー化を図ることができる。
【００８３】
排熱利用型除湿システム１０Ａ（排熱利用型除湿システム１０Ｂ〜１０Ｄを含む）は、低湿度の排気空気を加熱した加熱空気をデシカント空調機１１（除湿機構）に給気することでデシカントローター１７の除湿剤の除湿機能を十分に再生させることができ、デシカント空調機１１によって作られた除湿空気を除湿空調空間３５に給気することができる。
【００８４】
図７は、他の一例として示す排熱利用型除湿システム１０Ｂの構成図であり、図８は、排熱利用型除湿システム１０Ｂの排気環流スタンバイ運転を説明する図である。図９は、排熱利用型除湿システム１０Ｂの第１循環運転または第３循環運転を説明する図であり、図１０は、排熱利用型除湿システム１０Ｂの第２循環運転を説明する図である。図７〜図１０では、除湿空調空間３５の図示を省略している。図８〜図１０では、ダクト２５，２６，２９やデシカント空調機１１における加熱空気や排気空気の流れを矢印Ａ１で示し、ダクト２２，２３，２４やデシカント空調機１１における外気や除湿空気、環気空気の流れを矢印Ａ２で示す。
【００８５】
この排熱利用型除湿システム１０Ｂが図１のそれと異なるところは、冷媒環流管４４に冷媒バイパス管４８、三方弁４９（弁機構）、第２温度センサ５０が設置されている点であり、その他の構成は図１の除湿システム１０Ａのそれらと同一であるから、図１と同一の符号を付すとともに、図１の除湿システム１０Ａの説明を援用することで、その他の構成についての説明は省略する。
【００８６】
排熱利用型除湿システム１０Ｂは、図１のシステム１０Ａと同様の、デシカント空調機１１、第１熱交換機構１２、ヒーター１３、第２熱交換機構１４、外気調和機１５、コントローラ１６、処理側上流ダクト２２、除湿空間環流ダクト２３、処理側下流ダクト２４、再生側上流ダクト２５、再生側下流ダクト２６、排気空気環流ダクト２９、第１および第２ダンパ３０，３２、各温度センサ３３，３４、熱交換機３８，循環ポンプ４５を備えている。コントローラ１６の記憶領域には、加熱空気の設定温度（約１２０〜約１３０℃）や排気空気の設定温度（たとえば、１２℃）、冷媒の設定温度（たとえば、１２℃）が格納されている。各設定温度は、任意に設定することができる。
【００８７】
冷媒バイパス管４８は、第２熱交換機構１４（コイルユニット４６）の近傍に延びる冷媒環流管４４に接続されている。冷媒バイパス管４８は、そこを冷媒が通流することで、冷媒をコイルユニット４６に通流させずに冷媒を熱交換機３８の熱交換コイル４３（第１熱交換機構）に環流させる。三方弁４９は、コイルユニット４６の近傍に延びる冷媒環流管４４と冷媒バイパス管４８とに設置されている。三方弁４９は、コイルユニット４６に通流させる冷媒の流量と冷媒バイパス管４８に通流させる冷媒の流量とを調節する。三方弁４９は、その制御部（図示せず）が制御信号線３１を介してコントローラ１６に接続されている。
【００８８】
第２温度センサ５０は、第２熱交換機構１４（コイルユニット４６）における冷媒流出口と冷媒バイパス管４８との間に延びる冷媒循環管４４に設置されている。第２温度センサ５０は、制御信号線３１を介してコントローラ１６に接続されている。第２温度センサ５０は、第２熱交換機構１４の熱交換コイル４６の冷媒流出口から流出した冷媒の温度を測定し、測定した冷媒の温度（測定温度）をコントローラ１６に送信する。
【００８９】
コントローラ１６のシステム起動スイッチをＯＮにすると、除湿システム１０Ｂが起動する。除湿システム１０Ｂが起動すると、デシカント空調機１１や第１熱交換機構１２（ヒートポンプユニット３７）、ヒーター１３、第２熱交換機構１４（コイルユニット４６）、外気調和機１５、第１および第２ダンパ３０，３２、各温度センサ３３，３４，５０、循環ポンプ４５、三方弁４９が起動する。給気用送風機２７や排気用送風機２８が起動し、デシカントローター１７が一方向へ回転を開始する。冷媒が冷媒環流管４４を環流し、冷媒が往管４１および還管４２を環流する。温度センサ３４が除湿機能再生ゾーン１９を通流する加熱空気の温度測定を開始し、第１温度センサ３３が再生側下流ダクト２６を通流する排気空気の温度測定を開始するとともに、第２温度センサ５０がコイルユニット４６の冷媒流出口から流出した冷媒の温度測定を開始する。
【００９０】
除湿システム１０Ｂでは、その起動時に排気環流スタンバイ運転（システム予備運転）が実施される。排気環流スタンバイ運転は、図１の除湿システム１０Ａのそれと同一であり、排気環流スタンバイ運転による効果は、図１の除湿システム１０Ａのそれと同一である。排気環流スタンバイ運転中の各ダクト２５，２６における外気や空調空気、加熱空気、排気空気の流れは、図８に矢印Ａ１で示すように、図４のそれと同一である。また、排気環流スタンバイ運転中の各ダクト２２〜２４における外気や空調空気、除湿空気、環気空気の流れは、図８に矢印Ａ２で示すように、図４のそれと同一である。コントローラ１６は、温度センサ３４によって測定された加熱空気の測定温度が設定温度の範囲内に入るように、ヒートポンプユニット３７のコンプレッサー３６やヒーター１３に対してフィードバック制御またはフィードフォワード制御を行う。
【００９１】
第１熱交換機構１２の熱交換機３８では、ヒートポンプユニット３７の蒸発器４０と熱交換コイル４３との間で熱交換が行われ、冷媒環流管４４から熱交換コイル４３に流入した冷媒（約１２℃の水またはブライン）が所定温度（約７℃）に冷却されてその冷媒が再び冷媒環流管４４に流出し、冷媒環流管４４を通って第２熱交換機構１４（コイルユニット４６）に送られる。排気空気の排熱がコイルユニット４６によって回収され、回収された交換熱が冷媒によって熱交換機３８の熱交換コイル４３に運ばれる。図１のシステム１０Ａと同様に、排気空気から回収した排熱がヒートポンプユニット３７における空気の加熱に利用される。
【００９２】
コントローラ１６は、排気環流スタンバイ運転を実施中に、第２温度センサ５０が測定した冷媒の測定温度と記憶領域に格納された冷媒の設定温度とを比較し、第２温度センサ５０が測定した冷媒の測定温度が設定温度以上になった場合、三方弁４９の制御部に冷媒バイパス管４８の側の弁開度の縮小信号を送信し、冷媒環流管４４の側の弁開度の拡大信号を送信する。弁開度の縮小信号と拡大信号とを受信した三方弁４９の制御部は、冷媒バイパス管４８の側の弁開度を小さくして冷媒バイパス管４８に流入する冷媒の流量を少なくし、冷媒環流管４４の側の弁開度を大きくして第２熱交換機構１４（コイルユニット４６）に流入する冷媒の流量を多くする。
【００９３】
排熱利用型除湿システム１０Ｂは、排気環流スタンバイ運転を実施中に冷媒の測定温度が設定温度以上になった場合、第２熱交換機構１４（コイルユニット４６）に流入する冷媒の流量を多くすることで、熱交換コイル４６における温度調節機能や除湿機能を最大限に利用することができるから、コイルユニット４６によって排気空気の温度および湿度を確実に低下させることができるとともに、排気空気の温度を設定温度近傍に速やかに安定させることができ、排気環流スタンバイ運転後に第１および第２循環運転や第３循環運転に円滑に移行することができる。
【００９４】
コントローラ１６は、排気環流スタンバイ運転を実施中に、第２温度センサ５０が測定した冷媒の測定温度が設定温度未満になった場合、三方弁４９の制御部に冷媒バイパス管４８の側の弁開度の拡大信号を送信し、冷媒環流管４４の側の弁開度の縮小信号を送信する。弁開度の拡大信号と縮小信号とを受信した三方弁４９の制御部は、冷媒バイパス管４８の側の弁開度を大きくして冷媒バイパス管４８に流入する冷媒の流量を多くし、冷媒環流管４４の側の弁開度を小さくして第２熱交換機構１４（コイルユニット４６）に流入する冷媒の流量を少なくする。
【００９５】
排熱利用型除湿システム１０Ｂは、排気環流スタンバイ運転を実施中に冷媒の測定温度が設定温度未満になった場合、第２熱交換機構１４（コイルユニット４６）に流入する冷媒の流量を少なくすることで、ヒートポンプユニット３７を利用した第１熱交換機構１２の加熱能力が下がり、たとえば、デシカントローター１７の除湿剤の除湿機能の再生温度が低い場合に加熱空気の温度を低くすることができ、第１熱交換機構１２において消費されるエネルギーを抑えつつ除湿剤の除湿機能を回復させることができる。
【００９６】
コントローラ１６は、排気環流スタンバイ運転を実施してから所定時間が経過し、第１温度センサ３３が測定した排気空気の測定温度が安定した後、第１循環運転〜第３循環運転のうちのいずれかを実施する。コントローラ１６は、第１温度センサ３３が測定した排気空気の測定温度と記憶領域に格納された排気空気の設定温度とを比較し、排気空気の測定温度が設定温度以下になった場合（測定温度≦設定温度）、第１循環運転と第２循環運転とのいずれかを実施する。コントローラ１６は、排気空気の測定温度が設定温度を超過した場合（測定温度＞設定温度）、第３循環運転を実施する。
【００９７】
第１〜第３循環運転では、排気環流スタンバイ運転と同様に、デシカントローター１７の除湿域を通流した除湿空気が処理側下流ダクト２４を通って除湿空調空間３５に給気される。なお、第１〜第３循環運転の実施中では、三方弁４９の弁開度が現状の開度に保持され、三方弁４９における冷媒の流量が一定に保持される。したがって、冷媒バイパス管４８に流入する冷媒の流量や第２熱交換機構１４（コイルユニット４６）に流入する冷媒の流量が一定に保持される。除湿システム１０Ｂは、第１〜第３循環運転のいずれかを行う場合、三方弁４９における冷媒の流量を一定に保持するから、第１〜第３循環運転の実施中に三方弁４９における冷媒の流量を変化させる場合と比較し、三方弁４９（弁機構）の調節制御と各ダンパ３０，３２の調節制御とを協調させることができる。
【００９８】
第１〜第３循環運転は、図１の除湿システム１０Ａのそれらと同一であり、第１〜第３循環運転による効果は、図１の除湿システム１０Ａのそれと同一である。第１循環運転中または第３循環運転中の各ダクト２５，２６における外気や空調空気、加熱空気、排気空気の流れは、図９に矢印Ａ１で示すように、図５のそれと同一である。また、第１循環運転中または第３循環運転中の各ダクト２２〜２４における外気や空調空気、除湿空気、環気空気の流れは、図９に矢印Ａ２で示すように、図５のそれと同一である。第２循環運転中の各ダクト２５，２６における外気や空調空気、加熱空気、排気空気の流れは、図１０に矢印Ａ１で示すように、図６のそれと同一である。また、第２循環運転中の各ダクト２２〜２４における外気や空調空気、除湿空気、環気空気の流れは、図１０に矢印Ａ２で示すように、図６のそれと同一である。
【００９９】
コントローラ１６は、第１〜第３循環運転のいずれかを実施中に、第２温度センサ５０が測定した冷媒の測定温度が設定温度以上になった場合、第１および第２ダンパ３０，３２の制御部に開度保持信号を送信し、三方弁４９の制御部に冷媒バイパス管４８の側の弁開度の縮小信号を送信するとともに、冷媒環流管４４の側の弁開度の拡大信号を送信する。開度保持信号を受信した第１および第２ダンパ３０，３２の制御部は、第１および第２ダンパ３０，３２の旋回羽根の旋回を停止し、現状の開度（第１ダンパ３０全閉）を保持する。弁開度の縮小信号と拡大信号とを受信した三方弁４９の制御部は、冷媒バイパス管４８の側の弁開度を小さくして冷媒バイパス管４８に流入する冷媒の流量を少なくし、冷媒環流管４４の側の弁開度を大きくして第２熱交換機構１４（コイルユニット４６）に流入する冷媒の流量を多くする。
【０１００】
排熱利用型除湿システム１０Ｂは、第１〜第３循環運転のいずれかを実施中に冷媒の測定温度が設定温度以上になった場合、第２熱交換機構１４（コイルユニット４６）に流入する冷媒の流量を多くすることで、コイルユニット４６における温度調節機能や除湿機能を最大限に利用することができるとともに、コイルユニット４６によって排気空気の温度および湿度を確実に低下させることができ、コイルユニット４６によって温度および湿度が低下した排気空気を効率的に再利用することができる。
【０１０１】
コントローラ１６は、第１〜第３循環運転のいずれかを実施中に、第２温度センサ５０が測定した冷媒の測定温度が設定温度未満になった場合、第１および第２ダンパ３０，３２の制御部に開度保持信号を送信し、三方弁４９の制御部に冷媒バイパス管４８の側の弁開度の拡大信号を送信するとともに、冷媒環流管４４の側の弁開度の縮小信号を送信する。開度保持信号を受信した第１および第２ダンパ３０，３２の制御部は、第１および第２ダンパ３０，３２の旋回羽根の旋回を停止し、現状の開度を保持する。弁開度の拡大信号と縮小信号とを受信した三方弁４９の制御部は、冷媒バイパス管４８の側の弁開度を大きくして冷媒バイパス管４８に流入する冷媒の流量を多くし、冷媒環流管４４の側の弁開度を小さくして第２熱交換機構１４（コイルユニット４６）に流入する冷媒の流量を少なくする。
【０１０２】
排熱利用型除湿システム１０Ｂは、第１〜第３循環運転のいずれかを実施中に冷媒の測定温度が設定温度未満になった場合、第２熱交換機構１４（コイルユニット４６）に流入する冷媒の流量を少なくするから、ヒートポンプユニット３７を利用した第１熱交換機構１２の加熱能力が下がり、たとえば、デシカントローター１７の除湿剤の除湿機能の再生温度が低い場合に加熱空気の温度を低くすることができ、第１熱交換機構１２において消費されるエネルギーを抑えつつ除湿剤の除湿機能を回復させることができる。排熱利用型除湿システム１０Ｂは、三方弁４９を調節してコイルユニット４６や冷媒バイパス管４４に流入する冷媒の流量を調節する場合、各ダンパ３０，３２の開度を所定の開度に保持するから、三方弁４９の調節中に各ダンパ３０，３２の開度を変化させる場合と比較し、システム１０Ｂのハンチングを防ぐことができる。
【０１０３】
なお、三方弁４９によって冷媒の流量を調節してから所定時間が経過し、第２温度センサ５０が測定した冷媒の測定温度が安定した後、第１循環運転〜第３循環運転のうちのいずれかを実施（再開）する。この場合、三方弁４９の弁開度が現状の開度に保持され、三方弁４９における冷媒の流量が一定に保持される。
【０１０４】
図１１は、他の一例として示す排熱利用型除湿システム１０Ｃの構成図であり、図１２は、排熱利用型除湿システム１０Ｃの排気環流スタンバイ運転を説明する図である。図１３は、排熱利用型除湿システム１０Ｃの第１循環運転または第２循環運転を説明する図である。図１１〜図１３では、除湿空調空間３５の図示を省略している。図１１〜図１３では、ダクト２５，２６，２９やデシカント空調機１１における加熱空気や排気空気の流れを矢印Ａ１で示し、ダクト２２，２３，２４やデシカント空調機１１における外気や除湿空気、環気空気の流れを矢印Ａ２で示すとともに、パージ空気導入ダクト５１におけるパージ空気の流れを矢印Ａ３で示す。
【０１０５】
この除湿システム１０Ｃが図１のそれと異なるところは、再生側上流ダクト２５にパージ空気導入ダクト５１が設置され、再生側下流ダクト２６に空気排気ダクト５２が設置されているとともに、空気排気ダクト５２に第３ダンパ５３が設置されている点であり、その他の構成は図１の除湿システム１０Ａのそれらと同一であるから、図１と同一の符号を付すとともに、図１の除湿システム１０Ａの説明を援用することで、その他の構成についての詳細な説明は省略する。
【０１０６】
除湿システム１０Ｃは、図１のシステム１０Ａと同様の、デシカント空調機１１、第１熱交換機構１２、ヒーター１３、第２熱交換機構１４、外気調和機１５、コントローラ１６、処理側上流ダクト２２、除湿空間環流ダクト２３、処理側下流ダクト２４、再生側上流ダクト２５、再生側下流ダクト２６、排気空気環流ダクト２９、第１および第２ダンパ３０，３２、各温度センサ３３，３４、熱交換機３８，循環ポンプ４５を備えている。コントローラ１６の記憶領域には、加熱空気の設定温度（約１２０〜約１３０℃）や排気空気の設定温度（たとえば、１２℃）が格納されている。各設定温度は、任意に設定することができる。
【０１０７】
パージ空気導入ダクト５１は、除湿処理ゾーン１８に位置するデシカントローター１７（除湿機構）のパージ領域と第１熱交換機構１２（凝縮器３９）の上流側（第１熱交換機構１２の凝縮器３９と排気空気環流ダクト２９との間）に延びる再生側上流ダクト２５とに連結されている。パージ空気導入ダクト５１は、除湿処理ゾーンのデシカントローター１７のパージ領域を通流した所定温度（約８０〜９０℃）のパージ空気をデシカントローター１７から再生側上流ダクト２５に環流させる。
【０１０８】
空気排気ダクト５２は、除湿機能再生ゾーン１９と第２熱交換機構１４（コイルユニット４６）との間に延びる再生側下流ダクト２６に連結されている。空気排気ダクト５２は、再生側上流ダクト２５に流入したパージ空気と外気との混合空気を室外（外気）に放出する。第３ダンパ５３（第３モーターダンパ）は、空気排気ダクト５２に設置されて排気ダクト５２から排気する混合空気（パージ空気と外気との混合空気）の流量を調節する。第３ダンパ５３は、その制御部（図示せず）が制御信号線３１を介してコントローラ１６に接続されている。
【０１０９】
コントローラ１６のシステム起動スイッチをＯＮにすると、除湿システム１０Ｃが起動する。除湿システム１０Ｃが起動すると、デシカント空調機１１や第１熱交換機構１２（ヒートポンプユニット３７）、ヒーター１３、第２熱交換機構１４（コイルユニット４６）、外気調和機１５、第１〜第３ダンパ３０，３２，５３、各温度センサ３３，３４、循環ポンプ４５が起動する。給気用送風機２７や排気用送風機２８が起動し、デシカントローター１７が一方向へ回転を開始する。冷媒が冷媒環流管４４を環流し、冷媒が往管４１および還管４２を環流する。温度センサ３４が除湿機能再生ゾーン１９を通流する加熱空気の温度測定を開始し、第１温度センサ３３が再生側下流ダクト２６を通流する排気空気の温度測定を開始する。
【０１１０】
除湿システム１０Ｃでは、その起動時に排気環流スタンバイ運転（システム予備運）が実施される。排気環流スタンバイ運転においてコントローラ１６は、第１ダンパ３０の制御部に開度全開信号を送信し、第２ダンパ３２の制御部と第３ダンパ５３の制御部とに開度全閉信号を送信する。第１ダンパ３０の制御部は、第１ダンパ３０の旋回羽根を旋回させてダンパ３０の空気流路を開放（全開）し、再生側下流ダクト２６から排気する排気空気の流量を最大にする。第２ダンパ３２の制御部は、第２ダンパ３２の旋回羽根を旋回させてダンパ３２の空気流路を閉鎖（全閉）し、排気空気環流ダクト２９への排気空気の流入を遮断する。第３ダンパ５３の制御部は、第３ダンパ５３の旋回羽根を旋回させてダンパ５３の空気流路を閉鎖（全閉）し、空気排気ダクト５２への排気空気の流入を遮断する。
【０１１１】
排気環流スタンバイ運転中の各ダクト２５，２６における外気や空調空気、加熱空気、排気空気の流れは、図１２に矢印Ａ１で示すように、図４のそれと同一である。また、排気環流スタンバイ運転中の各ダクト２２〜２４における外気や空調空気、除湿空気、環気空気の流れは、図１２に矢印Ａ２で示すように、図４のそれと同一である。デシカントローター１７のパージ領域から排気されたパージ空気は、図１２に矢印Ａ３で示すように、除湿処理ゾーンからパージ空気導入ダクト５１を通って第１熱交換機構１２の凝縮器３９と排気空気環流ダクト２９との間に延びる再生側上流ダクト２５に流入し、外気（空調空気）と混合される。コントローラ１６は、温度センサ３４によって測定された加熱空気の測定温度が設定温度の範囲内に入るように、ヒートポンプユニット３７のコンプレッサー３６やヒーター１３に対してフィードバック制御またはフィードフォワード制御を行う。
【０１１２】
第１熱交換機構１２の熱交換機３８では、ヒートポンプユニット３７の蒸発器４０と熱交換コイル４３との間で熱交換が行われ、冷媒環流管４４から熱交換コイル４３に流入した冷媒（約１２℃の水またはブライン）が所定温度（約７℃）に冷却されてその冷媒が再び冷媒環流管４４に流出し、冷媒環流管４４を通って第２熱交換機構１４（コイルユニット４６）に送られる。排気空気の排熱が第２熱交換機構１４によって回収され、回収された交換熱が冷媒によって熱交換機３８の熱交換コイル４３に運ばれる。図１のシステム１０Ａと同様に、排気空気から回収した排熱がヒートポンプユニット３７における空気の加熱に利用される。
【０１１３】
コントローラ１６は、排気環流スタンバイ運転を実施してから所定時間が経過し、第１温度センサ３３が測定した排気空気の測定温度が安定した後、第１循環運転または第２循環運転のいずれかを実施する。コントローラ１６は、第１温度センサ３３が測定した排気空気の測定温度と記憶領域に格納された排気空気の設定温度とを比較し、排気空気の測定温度が設定温度以下になった場合（測定温度≦設定温度）、第１循環運転を実施する。コントローラ１６は、排気空気の測定温度が設定温度を超過した場合（測定温度＞設定温度）、第２循環運転を実施する。第１および第２循環運転では、排気環流スタンバイ運転と同様に、デシカントローター１７の除湿域を通流した除湿空気が処理側下流ダクト２４を通って除湿空調空間３５に給気される。
【０１１４】
第１循環運転においてコントローラ１６は、第１ダンパ３０の制御部に開度全閉信号を送信し、第３ダンパ５３の制御部に開度保持信号を送信するとともに、第２ダンパ３２の制御部に開度拡大信号を送信する。開度全閉信号を受信した第１ダンパ３０の制御部は、第１ダンパ３０の旋回羽根を旋回させてダンパ３０の空気流路を閉鎖（全閉）し、再生側下流ダクト２６から屋外（外気）への排気空気の放出を遮断する。
【０１１５】
開度保持信号を受信した第３ダンパ５３の制御部は、第３ダンパ５３の旋回羽根の旋回を停止し、現状の開度を保持し、パージ空気排気ダクトから排気する排気空気（パージ空気と外気との混合空気）の流量を所定（現在）の流量に保持する。第３ダンパ５３の空気流路を通過した排気空気（パージ空気と外気との混合空気の流量の分）は、空気排気ダクト５２を通って屋外に放出される。開度拡大信号を受信した第２ダンパ３２の制御部は、第２ダンパ３２の旋回羽根を旋回させ、開度を大きくし、排気空気環流ダクト２９を通流する排気空気の流量を多くする。
【０１１６】
排気空気環流ダクト２９に流入した低温度かつ低湿度の多量の排気空気は、図１３に矢印Ａ１で示すように、排気空気環流ダクト２９を通って再生側上流ダクト２５に流入し、外気調和機１５によって所定の温度および湿度に調節された少量の空調空気（外気）と混合されて第１熱交換機構１２の凝縮器３９によって再び加熱されて加熱空気となり、デシカントローター１７の放湿域２１を通流し、デシカントローター１７の除湿剤の除湿機能を再生する。パージ空気は、図１３に矢印Ａ３で示すように、除湿処理ゾーンからパージ空気導入ダクト５１を通って第１熱交換機構１２の凝縮器３９と排気空気環流ダクト２９との間に延びる再生側上流ダクト２５に流入する。
【０１１７】
排熱利用型除湿システム１０Ｃは、第１温度センサ３３が測定した排気空気の測定温度が設定温度以下になり、第１循環運転を行う場合、パージ空気分を除いた温度および湿度の低い状態の全ての排気空気を第１熱交換機構１２の凝縮器３９に環流させて湿度の低い加熱空気を作ることができるから、外気調和機１５によって低温度かつ低湿度に調節された外気を第１熱交換機構１２に給気する必要はなく、外気調和機１５の負荷を軽減することができ、システム１０Ｃの省エネルギー化を図ることができるのみならず、第１熱交換機構１２の凝縮器３９とデシカント空調機１１（除湿機構）と第２熱交換機構１４（コイルユニット４６）とを循環する排気空気および加熱空気によって稼働する循環式の除湿システム１０Ｃを実現することができる。
【０１１８】
第２循環運転においてコントローラ１６は、第１ダンパ３０の制御部に開度全閉信号を送信し、第３ダンパ５３の制御部に開度保持信号を送信するとともに、第２ダンパ３２の制御部に開度縮小信号を送信する。開度全閉信号を受信した第１ダンパ３０の制御部は、第１ダンパ３０の旋回羽根を旋回させてダンパ３０の空気流路を閉鎖（全閉）し、再生側下流ダクト２６から屋外（外気）への排気空気の放出を遮断する。
【０１１９】
開度保持信号を受信した第３ダンパ５３の制御部は、第３ダンパ５３の旋回羽根の旋回を停止し、現状の開度を保持し、パージ空気排気ダクトから排気する排気空気（パージ空気と外気との混合空気）の流量を所定の流量に保持する。第３ダンパ５３の空気流路を通過した排気空気（パージ空気の流量の分）は、空気排気ダクト５２を通って屋外に放出される。開度縮小信号を受信した第２ダンパ３２の制御部は、第２ダンパ３２の旋回羽根を旋回させ、開度を小さくし、排気空気環流ダクト２９を通流する排気空気の流量を少なくすると同時に、空気排気ダクト５２を通流する排気空気の流量を多くする。
【０１２０】
排気空気環流ダクト２９に流入した低温度かつ低湿度の少量の排気空気は、図１３に矢印Ａ１で示すように、排気空気環流ダクト２９を通って再生側上流ダクト２５に流入し、外気調和機１５によって所定の温度および湿度に調節された多量の空調空気と混合されて第１熱交換機構１２の凝縮器３９によって再び加熱されて加熱空気となり、デシカントローター１７の放湿域２１を通流し、デシカントローター１７の除湿剤の除湿機能を再生する。
【０１２１】
排熱利用型除湿システム１０Ｃは、排気空気の測定温度が設定温度を超過し、第２循環運転を行う場合、温度および湿度が高い少量の排気空気を循環させるとともに、所定の温度および湿度に調節された空調空気（外気）を第１熱交換機構１２に給気することで、排気空気の温度を設定温度以下に戻すことができ、第１熱交換機構１２のヒートポンプユニット３７の負荷を軽減してシステム１０Ｃの省エネルギー化を図りつつ、排気空気の温度を設定温度近傍に安定させることができるとともに、第２循環運転から第１循環運転速に速やかに移行させることができる。
【０１２２】
図１４は、他の一例として示す排熱利用型除湿システム１０Ｄの構成図であり、図１５は、排熱利用型除湿システム１０Ｄの排気環流スタンバイ運転を説明する図である。図１６は、排熱利用型除湿システム１０Ｄの第１循環運転または第２循環運転を説明する図である。図１４〜図１６では、除湿空調空間３５の図示を省略している。図１４〜図１６では、ダクト２５，２６，２９やデシカント空調機１１における加熱空気や排気空気の流れを矢印Ａ１で示し、ダクト２２，２３，２４やデシカント空調機１１における外気や除湿空気、環気空気の流れを矢印Ａ２で示すとともに、パージ空気導入ダクト５１におけるパージ空気の流れを矢印Ａ３で示す。
【０１２３】
この除湿システム１０Ｄが図１のそれと異なるところは、冷媒環流管４４に冷媒バイパス管４８、三方弁４９（弁機構）、第２温度センサ５０が設置されている点、再生側上流ダクト２５にパージ空気導入ダクト５１が設置され、再生側下流ダクト２６に空気排気ダクト５２が設置されているとともに、空気排気ダクト５２に第３ダンパ５３が設置されている点であり、その他の構成は図１の除湿システム１０Ａのそれらと同一であるから、図１と同一の符号を付すとともに、図１の除湿システム１０Ａの説明を援用することで、その他の構成についての説明は省略する。
【０１２４】
除湿システム１０Ｄは、図１のシステム１０Ａと同様の、デシカント空調機１１、第１熱交換機構１２、ヒーター１３、第２熱交換機構１４、外気調和機１５、コントローラ１６、処理側上流ダクト２２、除湿空間環流ダクト２３、処理側下流ダクト２４、再生側上流ダクト２５、再生側下流ダクト２６、排気空気環流ダクト２９、第１および第２ダンパ３０，３２、各温度センサ３３，３４、熱交換機３８，循環ポンプ４５を備えている。コントローラ１６の記憶領域には、加熱空気の設定温度（約１２０〜約１３０℃）や排気空気の設定温度（たとえば、１２℃）、冷媒の設定温度（たとえば、１２℃）が格納されている。各設定温度は、任意に設定することができる。
【０１２５】
冷媒バイパス管４８や三方弁４９、第２温度センサ５０は図７のシステム１０Ｂのそれらと同一であるから、図７のシステム１０Ｂのそれらと同一の符号を付すとともに、図７の説明を援用することで、冷媒バイパス管４８や三方弁４９、第２温度センサ５０の説明は省略する。パージ空気導入ダクト５１や空気排気ダクト５２、第３ダンパ５３は図１１のシステム１０Ｃのそれらと同一であるから、図１１のシステム１０Ｃのそれらと同一の符号を付すとともに、図１１の説明を援用することで、パージ空気導入ダクト５１や空気排気ダクト５２、第３ダンパ５３の説明は省略する。
【０１２６】
コントローラ１６のシステム起動スイッチをＯＮにすると、除湿システム１０Ｄが起動する。除湿システム１０Ｄが起動すると、デシカント空調機１１や第１熱交換機構１２（ヒートポンプユニット３７）、ヒーター１３、第２熱交換機構１４（コイルユニット４６）、外気調和機１５、第１〜第３ダンパ３０，３２，５３、各温度センサ３３，３４，５０、循環ポンプ４５、三方弁４９が起動する。給気用送風機２７や排気用送風機２８が起動し、デシカントローター１７が一方向へ回転を開始する。冷媒が冷媒環流管４４を環流し、冷媒が往管４１および還管４２を環流する。温度センサ３４が除湿機能再生ゾーン１９を通流する加熱空気の温度測定を開始し、第１温度センサ３３が再生側下流ダクト２６を通流する排気空気の温度測定を開始するとともに、第２温度センサ５０がコイルユニット４６の冷媒流出口から流出した冷媒の温度測定を開始する。
【０１２７】
除湿システム１０Ｄでは、その起動時に排気環流スタンバイ運転（システム予備運転）が実施される。排気環流スタンバイ運転は、図１１の除湿システム１０Ｃのそれと同一であり、排気環流スタンバイ運転による効果は、図１１の除湿システム１０Ｃのそれと同一である。排気環流スタンバイ運転中の各ダクト２５，２６における外気や空調空気、加熱空気、排気空気の流れは、図１５に矢印Ａ１で示すように、図１２のそれと同一である。また、排気環流スタンバイ運転中の各ダクト２２〜２４における外気や空調空気、除湿空気、環気空気の流れは、図１５に矢印Ａ２で示すように、図１２のそれと同一である。
【０１２８】
デシカントローター１７のパージ領域から排気されたパージ空気は、図１５に矢印Ａ３で示すように、除湿処理ゾーンからパージ空気導入ダクト５１を通って第１熱交換機構１２の凝縮器３９と排気空気環流ダクト２９との間に延びる再生側上流ダクト２５に流入し、外気（空調空気）と混合される。コントローラ１６は、温度センサ３４によって測定された加熱空気の測定温度が設定温度の範囲内に入るように、ヒートポンプユニット３７のコンプレッサー３６やヒーター１３に対してフィードバック制御またはフィードフォワード制御を行う。
【０１２９】
第１熱交換機構１２の熱交換機３８では、ヒートポンプユニット３７の蒸発器４０と熱交換コイル４３との間で熱交換が行われ、冷媒環流管４４から熱交換コイル４３に流入した冷媒（約１２℃の水またはブライン）が所定温度（約７℃）に冷却されてその冷媒が再び冷媒環流管４４に流出し、冷媒環流管４４を通って第２熱交換機構１４（コイルユニット４６）に送られる。排気空気の排熱が第２熱交換機構１２によって回収され、回収された交換熱が冷媒によって熱交換機３８の熱交換コイル４３に運ばれる。図１のシステム１０Ａと同様に、排気空気から回収した排熱がヒートポンプユニット３７における空気の加熱に利用される。
【０１３０】
コントローラ１６は、排気環流スタンバイ運転を実施中に、第２温度センサ５０が測定した冷媒の測定温度と記憶領域に格納された冷媒の設定温度とを比較し、第２温度センサ５０が測定した冷媒の測定温度が設定温度以上になった場合、三方弁４９の制御部に冷媒バイパス管４８の側の弁開度の縮小信号を送信し、冷媒環流管４４の側の弁開度の拡大信号を送信する。弁開度の縮小信号と拡大信号とを受信した三方弁４９の制御部は、冷媒バイパス管４８の側の弁開度を小さくして冷媒バイパス管４８に流入する冷媒の流量を少なくし、冷媒環流管４４の側の弁開度を大きくして第２熱交換機構１４（コイルユニット４６）に流入する冷媒の流量を多くする。
【０１３１】
排熱利用型除湿システム１０Ｄは、排気環流スタンバイ運転を実施中に冷媒の測定温度が設定温度以上になった場合、第２熱交換機構１４（コイルユニット４６）に流入する冷媒の流量を多くすることで、熱交換コイル４６における温度調節機能や除湿機能を最大限に利用することができるから、コイルユニット４６によって排気空気の温度および湿度を確実に低下させることができるとともに、排気空気の温度を設定温度近傍に速やかに安定させることができ、システム起動運転後に第１循環運転や第２循環運転に円滑に移行することができる。
【０１３２】
コントローラ１６は、排気環流スタンバイ運転を実施中に、第２温度センサ５０が測定した冷媒の測定温度が設定温度未満になった場合、三方弁４９の制御部に冷媒バイパス管４８の側の弁開度の拡大信号を送信し、冷媒環流管４４の側の弁開度の縮小信号を送信する。弁開度の拡大信号と縮小信号とを受信した三方弁４９の制御部は、冷媒バイパス管４８の側の弁開度を大きくして冷媒バイパス管４８に流入する冷媒の流量を多くし、冷媒環流管４４の側の弁開度を小さくして第２熱交換機構１４（コイルユニット４６）に流入する冷媒の流量を少なくする。
【０１３３】
排熱利用型除湿システム１０Ｄは、排気環流スタンバイ運転を実施中に冷媒の測定温度が設定温度未満になった場合、第２熱交換機構１４（コイルユニット４６）に流入する冷媒の流量を少なくすることで、ヒートポンプユニット３７を利用した第１熱交換機構１２の加熱能力が下がり、たとえば、デシカントローター１７の除湿剤の除湿機能の再生温度が低い場合に加熱空気の温度を低くすることができ、第１熱交換機構１２において消費されるエネルギーを抑えつつ除湿剤の除湿機能を回復させることができる。
【０１３４】
コントローラ１６は、排気環流スタンバイ運転を実施してから所定時間が経過し、第１温度センサ３３が測定した排気空気の測定温度が安定した後、第１循環運転または第２循環運転のいずれかを実施する。コントローラ１６は、第１温度センサ３３が測定した排気空気の測定温度と記憶領域に格納された排気空気の設定温度とを比較し、排気空気の測定温度が設定温度以下になった場合（測定温度≦設定温度）、第１循環運転を実施する。コントローラ１６は、排気空気の測定温度が設定温度を超過した場合（測定温度＞設定温度）、第２循環運転を実施する。
【０１３５】
第１および第２循環運転は、図１１の除湿システム１０Ｃのそれらと同一であり、第１および第２循環運転による効果は、図１１の除湿システム１０Ｃのそれと同一である。第１および第２循環運転中の各ダクト２５，２６における外気や空調空気、加熱空気、排気空気の流れは、図１６に矢印Ａ１で示すように、図１３のそれと同一である。また、第１および第２循環運転中の各ダクト２２〜２４における外気や空調空気、除湿空気、環気空気の流れは、図１６に矢印Ａ２で示すように、図１３のそれと同一である。
【０１３６】
第１循環運転または第２循環運転の実施中では、三方弁４９の弁開度が現状の開度に保持され、三方弁４９における冷媒の流量が一定に保持される。したがって、冷媒バイパス管４８に流入する冷媒の流量や第２熱交換機構１４（コイルユニット４６）に流入する冷媒の流量が一定に保持される。除湿システム１０Ｄは、第１および第２循環運転のいずれかを行う場合、三方弁４９における冷媒の流量を一定に保持するから、第１および第２循環運転の実施中に三方弁４９における冷媒の流量を変化させる場合と比較し、三方弁４９（弁機構）の調節制御と各ダンパ３０，３２，５３の調節制御とを協調させることができる。
【０１３７】
コントローラ１６は、第１および第２循環運転のいずれかを実施中に、第２温度センサ５０が測定した冷媒の測定温度が設定温度以上になった場合、第１〜第３ダンパ３０，３２，５３の制御部に開度保持信号を送信し、三方弁４９の制御部に冷媒バイパス管４８の側の弁開度の縮小信号を送信するとともに、冷媒環流管４４の側の弁開度の拡大信号を送信する。開度保持信号を受信した第１〜第３ダンパ３０，３２，５３の制御部は、第１〜第３ダンパ３０，３２，５３の旋回羽根の旋回を停止し、現状の開度（第１ダンパ３０全閉）を保持する。弁開度の縮小信号と拡大信号とを受信した三方弁４９の制御部は、冷媒バイパス管４８の側の弁開度を小さくして冷媒バイパス管４８に流入する冷媒の流量を少なくし、冷媒環流管４４の側の弁開度を大きくして第２熱交換機構１４（コイルユニット４６）に流入する冷媒の流量を多くする。
【０１３８】
排熱利用型除湿システム１０Ｄは、第１および第２循環運転のいずれかを実施中に冷媒の測定温度が設定温度以上になった場合、第２熱交換機構１４（コイルユニット４６）に流入する冷媒の流量を多くすることで、コイルユニット４６における温度調節機能や除湿機能を最大限に利用することができるとともに、コイルユニット４６によって排気空気の温度および湿度を確実に低下させることができ、コイルユニット４６によって温度および湿度が低下した排気空気を効率的に再利用することができる。
【０１３９】
コントローラ１６は、第１および第２循環運転のいずれかを実施中に、第２温度センサ５０が測定した冷媒の測定温度が設定温度未満になった場合、第１〜第３ダンパ３０，３２，５３の制御部に開度保持信号を送信し、三方弁４９の制御部に冷媒バイパス管４８の側の弁開度の拡大信号を送信するとともに、冷媒環流管４４の側の弁開度の縮小信号を送信する。開度保持信号を受信した第１〜第３ダンパ３０，３２，５３の制御部は、第１〜第３ダンパ３０，３２，５３の旋回羽根の旋回を停止し、現状の開度（第１ダンパ３０全閉）を保持する。弁開度の拡大信号と縮小信号とを受信した三方弁４９の制御部は、冷媒バイパス管４８の側の弁開度を大きくして冷媒バイパス管４８に流入する冷媒の流量を多くし、冷媒環流管４４の側の弁開度を小さくして第２熱交換機構１４（コイルユニット４６）に流入する冷媒の流量を少なくする。
【０１４０】
排熱利用型除湿システム１０Ｄは、第１および第２循環運転のいずれかを実施中に冷媒の測定温度が設定温度未満になった場合、第２熱交換機構１４（コイルユニット４６）に流入する冷媒の流量を少なくするから、ヒートポンプユニット３７を利用した第１熱交換機構１２の加熱能力が下がり、たとえば、デシカントローター１７の除湿剤の除湿機能の再生温度が低い場合に加熱空気の温度を低くすることができ、除湿剤を痛めることなくその除湿剤の除湿機能を回復させることができる。除湿システム１０Ｄは、三方弁４９を調節してコイルユニット４６や冷媒バイパス管４４に流入する冷媒の流量を調節する場合、各ダンパ３０，３２，５３の開度を所定の開度に保持するから、三方弁４９の調節中に各ダンパ３０，３２，５３の開度を変化させる場合と比較し、三方弁４９（弁機構）の調節制御と各ダンパ３０，３２，５３の調節制御とを協調させることができる。
【０１４１】
なお、三方弁４９によって冷媒の流量を調節してから所定時間が経過し、第２温度センサ５０が測定した冷媒の測定温度が安定した後、第１循環運転と第２循環運転とのうちのいずれかを実施（再開）する。この場合、三方弁４９の弁開度が現状の開度に保持され、三方弁４９における冷媒の流量が一定に保持される。
【符号の説明】
【０１４２】
１０Ａ  排熱利用型除湿システム
１０Ｂ  排熱利用型除湿システム（三方弁を備えた構成）
１０Ｃ  排熱利用型除湿システム（空気排気ダクトを備えた構成）
１０Ｄ  排熱利用型除湿システム（三方弁、空気排気ダクトを備えた構成）
１１    デシカント空調機
１２    第１熱交換機構
１３    ヒーター
１４    第２熱交換機構
１５    外気調和機
１６    コントローラ
１７    デシカントローター（除湿機構）
１８    除湿処理ゾーン
１９    除湿機能再生ゾーン
２０    除湿域
２１    放湿域
２２    処理側上流ダクト
２３    除湿空間環流ダクト
２４    処理側下流ダクト
２５    再生側上流ダクト
２６    再生側下流ダクト
２７    給気用送風機
２８    排気用送風機
２９    排気空気環流ダクト
３０    第１ダンパ
３１    制御信号線
３２    第２ダンパ
３３    第１温度センサ
３４    温度センサ
３５    除湿空調空間
３６    コンプレッサー（圧縮機）
３７    ヒートポンプユニット（ヒートポンプ）
３８    熱交換機
３９    凝縮器
４０    蒸発機
４１    往管
４２    還管
４３    熱交換コイル（ヒートポンプユニット用）
４４    冷媒環流管
４５    循環ポンプ
４６    熱交換コイル（排気用）
４７    膨張弁
４８    冷媒バイパス管
４９    弁機構（三方弁）
５０    第２温度センサ
５１    パージ空気導入ダクト
５２    空気排気ダクト
５３    第３ダンパ
【図１】
0006616973.tif 000002
【図２】
0006616973.tif 000003
【図３】
0006616973.tif 000004
【図４】
0006616973.tif 000005
【図５】
0006616973.tif 000006
【図６】
0006616973.tif 000007
【図７】
0006616973.tif 000008
【図８】
0006616973.tif 000009
【図９】
0006616973.tif 000010
【図１０】
0006616973.tif 000011
【図１１】
0006616973.tif 000012
【図１２】
0006616973.tif 000013
【図１３】
0006616973.tif 000014
【図１４】
0006616973.tif 000015
【図１５】
0006616973.tif 000016
【図１６】
0006616973.tif 000017